(57)【特許請求の範囲】
【請求項１】
情報伝送方法であって、前記情報伝送方法は、時分割複信ＴＤＤシステムに適用され、
第１の通信デバイスが、前記第１の通信デバイスと第２の通信デバイスとの間の伝送される予定のターゲット情報の属性情報に基づき、インジケーション情報を前記第２の通信デバイスへ送信する段階であって、前記インジケーション情報は、前記第１の通信デバイスおよび前記第２の通信デバイスが情報伝送を実行するコンカレントサブフレームを示すために用いられる、段階と、
前記第１の通信デバイスが、第１の情報を、前記コンカレントサブフレームにおける第１の時間−周波数リソース上で前記第２の通信デバイスへ送信し、前記第２の通信デバイスにより送信された第２の情報を、前記コンカレントサブフレームにおける第２の時間−周波数リソース上で受信する段階であって、前記伝送される予定のターゲット情報は、前記第１の情報または前記第２の情報である、段階と
を備え、
前記インジケーション情報を前記第２の通信デバイスへ送信する段階の前に、前記情報伝送方法は、
前記第１の通信デバイスが、前記第２の通信デバイスにより送信されたスケジューリング要求メッセージを受信する段階であって、前記スケジューリング要求メッセージは、前記第２の情報の前記属性情報を含む、段階を備え、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力及び前記第２の通信デバイスの能力に基づいて柔軟に決定され得る、
方法。
【請求項２】
第１の通信デバイスが、前記第１の通信デバイスと第２の通信デバイスとの間の伝送される予定のターゲット情報の属性情報に基づき、インジケーション情報を前記第２の通信デバイスへ送信する前記段階は、
前記第１の情報の前記属性情報が予め設定された条件を満たし、かつ前記第１の通信デバイスと前記第２の通信デバイスとの間の利用可能なリソースの数が第１の閾値より大きいと決定した後に、前記第１の通信デバイスが、前記インジケーション情報を前記第２の通信デバイスへ送信する段階、または、
前記第１の通信デバイスが、前記第２の情報の前記属性情報が予め設定された条件を満たし、かつ、前記第１の通信デバイスと前記第２の通信デバイスとの間の利用可能なリソースの数が第１の閾値より大きいと決定した後に、前記インジケーション情報を前記第２の通信デバイスへ送信する段階
を含む、
請求項１に記載の方法。
【請求項３】
前記伝送される予定のターゲット情報が制御情報である場合、前記インジケーション情報は、前記コンカレントサブフレームの識別情報を含む、請求項１または２に記載の方法。
【請求項４】
前記伝送される予定のターゲット情報がデータ情報である場合、前記インジケーション情報は、前記第１の時間−周波数リソースにおけるシンボルの識別情報と、前記第２の時間−周波数リソースにおけるシンボルの識別情報とを含む、
請求項１または２に記載の方法。
【請求項５】
情報伝送方法であって、前記情報伝送方法は、時分割複信ＴＤＤシステムに適用され、
第２の通信デバイスが、第１の通信デバイスと前記第２の通信デバイスとの間の伝送される予定のターゲット情報の属性情報に基づき、前記第１の通信デバイスにより送信されたインジケーション情報を受信する段階であって、前記インジケーション情報は、前記第１の通信デバイスおよび前記第２の通信デバイスが情報伝送を実行するコンカレントサブフレームを示すために用いられる、段階と、
前記第２の通信デバイスが、前記第１の通信デバイスにより送信された第１の情報を、前記コンカレントサブフレームにおける第１の時間−周波数リソース上で受信し、第２の情報を、前記コンカレントサブフレームにおける第２の時間−周波数リソース上で前記第１の通信デバイスへ送信する段階であって、前記伝送される予定のターゲット情報は、前記第１の情報または前記第２の情報である、段階と
を備え、
前記第２の通信デバイスが、前記第１の通信デバイスにより送信されたインジケーション情報を受信する前記段階の前に、前記情報伝送方法は、
前記第２の通信デバイスが、スケジューリング要求メッセージを前記第１の通信デバイスへ送信する段階であって、前記スケジューリング要求メッセージは、前記第２の情報の前記属性情報を含む、段階をさらに備え、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力及び前記第２の通信デバイスの能力に基づいて柔軟に決定され得る、
方法。
【請求項６】
情報伝送方法であって、前記情報伝送方法は、時分割複信ＴＤＤシステムに適用され、
第１の通信デバイスが、第２の通信デバイスと第３の通信デバイスとの間の伝送される予定のターゲット情報の属性情報に基づき、インジケーション情報を決定する段階と、
前記第１の通信デバイスが、前記インジケーション情報を、前記第２の通信デバイスおよび前記第３の通信デバイスへ送信する段階であって、前記インジケーション情報は、前記第２の通信デバイスおよび前記第３の通信デバイスが情報伝送を実行するコンカレントサブフレームを示すために用いられる、段階と
を備え、
前記コンカレントサブフレームは、前記第２の通信デバイスが、前記コンカレントサブフレームにおける第１の時間−周波数リソース上で、第１の情報を前記第３の通信デバイスへ送信するために、かつ、前記第３の通信デバイスが、前記コンカレントサブフレームにおける第２の時間−周波数リソース上で第２の情報を前記第２の通信デバイスへ送信するために用いられ、前記伝送される予定のターゲット情報は、前記第１の情報または前記第２の情報であり、
前記インジケーション情報を決定する段階の前に、前記情報伝送方法は、
前記第１の通信デバイスが、前記第２の通信デバイスにより送信されたスケジューリング要求メッセージを受信する段階であって、前記スケジューリング要求メッセージは、前記第１の情報の前記属性情報を含む、段階をさらに備え、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力、前記第２の通信デバイスの能力及び前記第３の通信デバイスの能力に基づいて柔軟に決定され得る、
方法。
【請求項７】
前記第１の通信デバイスが、前記インジケーション情報を前記第２の通信デバイスおよび前記第３の通信デバイスへ送信する前記段階は、
前記第１の通信デバイスが、前記伝送される予定のターゲット情報の前記属性情報が予め設定された条件を満たし、かつ、前記第２の通信デバイスと前記第３の通信デバイスとの間の利用可能なリソースの数が第１の閾値より大きいと決定した後に、前記インジケーション情報を、前記第２の通信デバイスおよび前記第３の通信デバイスへ送信する段階と
を含む、
請求項６に記載の方法。
【請求項８】
前記伝送される予定のターゲット情報が制御情報である場合、前記インジケーション情報は、前記コンカレントサブフレームの識別情報を含む、請求項６または７に記載の方法。
【請求項９】
前記伝送される予定のターゲット情報は、データ情報であり、前記インジケーション情報は、前記第１の時間−周波数リソースにおけるシンボルの識別情報と、前記第２の時間−周波数リソースにおけるシンボルの識別情報とを含む、
請求項６または７に記載の方法。
【請求項１０】
情報伝送方法であって、前記情報伝送方法は、時分割複信ＴＤＤシステムに適用され、
第２の通信デバイスが、前記第２の通信デバイスと第３の通信デバイスとの間の伝送される予定のターゲット情報の属性情報に基づき、第１の通信デバイスにより送信されたインジケーション情報を受信する段階であって、前記インジケーション情報は、前記第２の通信デバイスおよび前記第３の通信デバイスが情報伝送を実行するコンカレントサブフレームを示すために用いられる、段階と、
前記第２の通信デバイスが、前記コンカレントサブフレームにおける第１の時間−周波数リソース上で、第１の情報を前記第３の通信デバイスへ送信し、前記コンカレントサブフレームにおける第２の時間−周波数リソース上で、前記第３の通信デバイスにより送信された第２の情報を受信する段階と
を備え、
前記第２の通信デバイスが、前記第１の通信デバイスにより送信されたインジケーション情報を受信する前記段階の前に、前記情報伝送方法は、
前記第２の通信デバイスが、スケジューリング要求メッセージを前記第１の通信デバイスへ送信する段階であって、前記スケジューリング要求メッセージは、前記第１の情報の前記属性情報を含む、段階をさらに備え、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力、前記第２の通信デバイスの能力及び前記第３の通信デバイスの能力に基づいて柔軟に決定され得る、
方法。
【請求項１１】
通信デバイスであって、前記通信デバイスは、
前記通信デバイスと第２の通信デバイスとの間の伝送される予定のターゲット情報の属性情報に基づき、インジケーション情報を前記第２の通信デバイスへ送信するよう構成される送信モジュールであって、前記インジケーション情報は、前記通信デバイスおよび前記第２の通信デバイスが情報伝送を実行するコンカレントサブフレームを示すために用いられ、前記送信モジュールは、前記コンカレントサブフレームにおける第１の時間−周波数リソース上で第１の情報を前記第２の通信デバイスへ送信するようさらに構成される、送信モジュールと、
前記第２の通信デバイスにより送信された第２の情報を、前記コンカレントサブフレームにおける第２の時間−周波数リソース上で受信するよう構成される受信モジュールであって、前記伝送される予定のターゲット情報は、前記第１の情報または前記第２の情報である、受信モジュールと
を備え、
前記送信モジュールが前記インジケーション情報を前記第２の通信デバイスへ送信する前に、前記受信モジュールは、前記第２の通信デバイスにより送信されたスケジューリング要求メッセージを受信するようさらに構成され、前記スケジューリング要求メッセージは、前記第２の情報の前記属性情報を含み、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記通信デバイスの能力及び前記第２の通信デバイスの能力に基づいて柔軟に決定され得る、
通信デバイス。
【請求項１２】
前記通信デバイスは、
決定モジュールをさらに備え、
前記決定モジュールは、前記送信モジュールが前記インジケーション情報を前記第２の通信デバイスへ送信する前に、前記第１の情報の前記属性情報が予め設定された条件を満たし、かつ、前記通信デバイスと前記第２の通信デバイスとの間の利用可能なリソースの数が第１の閾値より大きいと決定するよう構成されるか、または、
前記決定モジュールは、前記送信モジュールが前記インジケーション情報を前記第２の通信デバイスへ送信する前に、前記第２の情報の前記属性情報が予め設定された条件を満たし、かつ、前記通信デバイスと前記第２の通信デバイスとの間の利用可能なリソースの数が第１の閾値より大きいと決定する、
請求項１１に記載の通信デバイス。
【請求項１３】
前記伝送される予定のターゲット情報が制御情報である場合、前記インジケーション情報は、前記コンカレントサブフレームの識別情報を含む、請求項１１または１２に記載の通信デバイス。
【請求項１４】
前記伝送される予定のターゲット情報がデータ情報である場合、前記インジケーション情報は、前記第１の時間−周波数リソースにおけるシンボルの識別情報と、前記第２の時間−周波数リソースにおけるシンボルの識別情報とを含む、請求項１１または１２に記載の通信デバイス。
【請求項１５】
通信デバイスであって、前記通信デバイスは、
第１の通信デバイスおよび前記通信デバイスとの間の伝送される予定のターゲット情報の属性情報に基づき、前記第１の通信デバイスにより送信されたインジケーション情報を受信するよう構成される受信モジュールであって、前記インジケーション情報は、前記第１の通信デバイスおよび前記通信デバイスが情報伝送を実行するコンカレントサブフレームを示すために用いられ、前記受信モジュールは、前記第１の通信デバイスにより送信された第１の情報を、前記コンカレントサブフレームにおける第１の時間−周波数リソース上で受信するようさらに構成される、受信モジュールと、
前記コンカレントサブフレームにおける第２の時間−周波数リソース上で、第２の情報を前記第１の通信デバイスへ送信するよう構成される送信モジュールであって、前記伝送される予定のターゲット情報は、前記第１の情報または前記第２の情報である、送信モジュールと
を備え、
前記受信モジュールが前記第１の通信デバイスにより送信された前記インジケーション情報を受信する前に、前記送信モジュールは、
スケジューリング要求メッセージを前記第１の通信デバイスへ送信するようさらに構成され、前記スケジューリング要求メッセージは、前記第２の情報の属性情報を含み、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力及び前記通信デバイスの能力に基づいて柔軟に決定され得る、
通信デバイス。
【請求項１６】
通信デバイスであって、前記通信デバイスは、
第２の通信デバイスと第３の通信デバイスとの間の伝送される予定のターゲット情報の属性情報に基づき、インジケーション情報を決定するよう構成される決定モジュールと、
前記インジケーション情報を、前記第２の通信デバイスおよび前記第３の通信デバイスへ送信するよう構成される送信モジュールであって、前記インジケーション情報は、前記第２の通信デバイスおよび前記第３の通信デバイスが情報伝送を実行するコンカレントサブフレームを示すために用いられる、送信モジュールと、
前記決定モジュールが前記インジケーション情報を決定する前に、前記第２の通信デバイスにより送信されたスケジューリング要求メッセージを受信するよう構成される受信モジュールと
を備え、
前記コンカレントサブフレームは、前記第２の通信デバイスが、前記コンカレントサブフレームにおける第１の時間−周波数リソース上で第１の情報を前記第３の通信デバイスへ送信するために、かつ、前記第３の通信デバイスが、前記コンカレントサブフレームにおける第２の時間−周波数リソース上で第２の情報を前記第２の通信デバイスへ送信するために用いられ、前記伝送される予定のターゲット情報は、前記第１の情報または前記第２の情報であり、
前記スケジューリング要求メッセージは、前記第１の情報の前記属性情報を含み、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記通信デバイスの能力、前記第２の通信デバイスの能力及び前記第３の通信デバイスの能力に基づいて柔軟に決定され得る、
通信デバイス。
【請求項１７】
前記決定モジュールは、前記送信モジュールが前記インジケーション情報を前記第２の通信デバイスおよび前記第３の通信デバイスへ送信する前に、前記伝送される予定のターゲット情報の前記属性情報が予め設定された条件を満たし、かつ、前記第２の通信デバイスと前記第３の通信デバイスとの間の利用可能なリソースの数が第１の閾値より大きいと決定するよう具体的に構成される、
請求項１６に記載の通信デバイス。
【請求項１８】
前記伝送される予定のターゲット情報が制御情報である場合、前記インジケーション情報は、前記コンカレントサブフレームの識別情報を含む、請求項１６または１７に記載の通信デバイス。
【請求項１９】
前記伝送される予定のターゲット情報がデータ情報である場合、前記インジケーション情報は、前記第１の時間−周波数リソースにおけるシンボルの識別情報と、前記第２の時間−周波数リソースにおけるシンボルの識別情報とを含む、請求項１６または１７に記載の通信デバイス。
【請求項２０】
通信デバイスであって、前記通信デバイスは、
前記通信デバイスと第３の通信デバイスとの間の伝送される予定のターゲット情報の属性情報に基づき、第１の通信デバイスにより送信されたインジケーション情報を受信するよう構成される受信モジュールであって、前記インジケーション情報は、前記通信デバイスおよび前記第３の通信デバイスが情報伝送を実行するコンカレントサブフレームを示すために用いられる、受信モジュールと、
前記コンカレントサブフレームにおける第１の時間−周波数リソース上で第１の情報を前記第３の通信デバイスへ送信するよう構成される送信モジュールと
を備え、
前記受信モジュールは、前記第３の通信デバイスにより送信された第２の情報を、前記コンカレントサブフレームにおける第２の時間−周波数リソース上で受信するようさらに構成され、
前記第１の通信デバイスにより送信されたインジケーション情報を受信する前に、前記送信モジュールは、
スケジューリング要求メッセージを前記第１の通信デバイスへ送信するようさらに構成され、前記スケジューリング要求メッセージは、前記第１の情報の前記属性情報を含み、
前記伝送される予定のターゲット情報がデータ情報である場合、前記インジケーション情報は、前記第１の時間−周波数リソースにおけるリソースブロック（ＲＢ）の識別情報と、前記第２の時間−周波数リソースにおけるＲＢの識別情報とを含み、
前記コンカレントサブフレームは、ブランクＲＢをさらに含み、前記ブランクＲＢは、前記第１の時間−周波数リソースにおける前記ＲＢと、前記第２の時間−周波数リソースにおける前記ＲＢとの間のガードリソースであり、前記コンカレントサブフレームにおける前記ブランクＲＢの数及び割り当ては、前記第１の通信デバイスの能力、前記通信デバイスの能力及び前記第３の通信デバイスの能力に基づいて柔軟に決定され得る、
通信デバイス。
【請求項２１】
コンピュータに請求項１から１０の何れか一項に記載の方法を実行させるプログラム。
【発明の詳細な説明】
【技術分野】
【０００１】
本出願は、２０１６年１２月２９日に中国特許庁に出願された、「情報伝送方法装置」と題する中国特許出願第２０１６１１２４９８１４．４号に基づく優先権を主張し、当該出願は、参照によりその全体が本明細書に組み込まれている。
【０００２】
本出願は、通信技術の分野に関し、特に、情報伝送方法および装置に関する。
【背景技術】
【０００３】
ロングタームエボリューション（Ｌｏｎｇ  Ｔｅｒｍ  Ｅｖｏｌｕｔｉｏｎ，ＬＴＥ）システムが、周波数分割複信（Ｆｒｅｑｕｅｎｃｙ  Ｄｉｖｉｓｉｏｎ  Ｄｕｐｌｅｘ，ＦＤＤ）フレーム構造および時分割複信（Ｔｉｍｅ  Ｄｉｖｉｓｉｏｎ  Ｄｕｐｌｅｘｉｎｇ，ＴＤＤ）フレーム構造といった２つのフレーム構造をサポートする。ＴＤＤフレーム構造は、以下の通りである：１つの無線フレームの長さが１０ｍｓであり、無線フレームは、合計で１０個のサブフレームを含み、それぞれのサブフレームの長さが１ｍｓである。さらに、１０個のサブフレームは、特別なサブフレームおよび通常のサブフレームを含む。特別なサブフレームは、ダウンリンクパイロットタイムスロット（Ｄｏｗｎｌｉｎｋ  ＰｉｌｏｔＳｌｏｔ，ＤｗＰＴＳ）、ガード期間（Ｇｕａｒｄ  Ｐｅｒｉｏｄ，ＧＰ）、およびアップリンクパイロットタイムスロット（Ｕｐｌｉｎｋ  Ｐｉｌｏｔ  Ｓｌｏｔ，ＵｐＰＴＳ）といった３つのスロットに分割される。通常のサブフレームは、アップリンクサブフレームおよびダウンリンクサブフレームに分類される。アップリンクサブフレームは、アップリンク制御シグナリング、アップリンクサービスデータ、および同様のものを伝送するために用いられる。ダウンリンクサブフレームは、ダウンリンク制御シグナリング、ダウンリンクサービスデータ、および同様のものを伝送するために用いられる。
【０００４】
ＴＤＤフレーム構造は、７つの異なるアップリンク−ダウンリンク配置をサポートする。したがってアップリンク−ダウンリンク配置に基づき、アップリンク情報およびダウンリンク情報は、特定の時間になったときのみ、伝送できる。具体的には、アップリンク情報は、アップリンクサブフレームが到達したときのみ、伝送でき、ダウンリンク情報は、ダウンリンクサブフレームが到達したときのみ、伝送できる。そのような伝送モードにおいて情報待ち期間は、レイテンシに対して比較的高い要求を有するサービスに対して比較的長い場合がある。
【０００５】
結論として、現在、情報がＴＤＤフレーム構造を用いることによって伝送されたときに引き起こされ得る比較的長い情報待ち期間の従来技術の問題を解決するために、情報伝送方法が緊急に必要とされている。
【発明の概要】
【０００６】
本発明の実施形態は、情報がＴＤＤフレーム構造を用いることによって伝送されたときに引き起こされ得る比較的長い情報待ち期間の従来技術の問題を解決するように情報伝送方法を提供する。
【０００７】
第１態様によれば、本発明の実施形態は、情報伝送方法を提供する。方法は、ＴＤＤシステムに適用され、方法は、第１の通信デバイスが、第１の通信デバイスと第２の通信デバイスとの間の伝送される予定のターゲット情報の属性情報に基づき、インジケーション情報を第２の通信デバイスへ送信する段階であって、インジケーション情報は、第１の通信デバイスおよび第２の通信デバイスが情報伝送を実行するコンカレントサブフレームを示すために用いられる、段階と、第１の通信デバイスが、コンカレントサブフレームにおける第１の時間−周波数リソース上で第１の情報を第２の通信デバイスへ送信し、第２の通信デバイスにより送信された第２の情報を、コンカレントサブフレームにおける第２の時間−周波数リソース上で受信する段階であって、伝送される予定のターゲット情報は第１の情報または第２の情報である、段階とを備える。
【０００８】
このように、本発明の本実施形態によれば、異なる通信デバイス間のアップリンクおよびダウンリンク情報伝送は、コンカレントサブフレームにおいて実行でき、これにより、レイテンシに対して比較的高い要求を有する情報は、特定のアップリンクサブフレームまたはダウンリンクサブフレームを待つ必要がなく、コンカレントサブフレームにおいてタイムリーに伝送できる。したがって、レイテンシが効果的に低減でき、スペクトルリソース利用率が向上できる。
【０００９】
任意選択的に、第１の通信デバイスが、第１の通信デバイスと第２の通信デバイスとの間の伝送される予定のターゲット情報の属性情報に基づき、インジケーション情報を第２の通信デバイスへ送信する段階は、第１の通信デバイスが、第１の情報の属性情報が予め設定された条件を満たし、かつ、第１の通信デバイスと第２の通信デバイスとの間の利用可能なリソースの数が第１の閾値より大きいと決定した後に、インジケーション情報を第２の通信デバイスへ送信する段階、または、第１の通信デバイスが、第２の通信デバイスにより送信された、第２の情報の属性情報を含むスケジューリング要求メッセージを受信し、第１の通信デバイスが、第２の情報の属性情報が予め設定された条件を満たし、かつ、第１の通信デバイスと第２の通信デバイスとの間の利用可能なリソースの数が第１の閾値より大きいと決定した後に、インジケーション情報を第２の通信デバイスへ送信する段階を含む。
【００１０】
このように、第１の通信デバイスは、伝送される予定のターゲット情報の属性情報が予め設定された条件を満たし、かつ、第１の通信デバイスと第２の通信デバイスとの間の利用可能なリソースの数が第１の閾値より大きいと決定した後のみ、インジケーション情報を第２の通信デバイスへ送信してよい。言い換えれば、属性情報が予め設定された条件を満たさない、または、利用可能なリソースの数が第１の閾値より小さいか、またはそれに等しいと決定した場合、第１の通信デバイスは、コンカレントサブフレームを示すようにインジケーション情報を第２の通信デバイスへ送信する必要がなくてよく、すなわち、１つのサブフレームにおいて双方向情報伝送を実行する必要がない。
【００１１】
任意選択的に、伝送される予定のターゲット情報が制御情報である場合、インジケーション情報は、コンカレントサブフレームの識別情報を含む。
【００１２】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【００１３】
任意選択的に、コンカレントサブフレームは、ブランクＲＢをさらに含み、ブランクＲＢは、第１の時間−周波数リソースにおけるＲＢと第２の時間−周波数リソースにおけるＲＢとの間のガードリソースである。
【００１４】
第２態様によれば、本発明の実施形態は、情報伝送方法を提供する。方法は、ＴＤＤシステムに適用され、方法は、第２の通信デバイスが、第１の通信デバイスと第２の通信デバイスとの間の伝送される予定のターゲット情報に基づき、第１の通信デバイスにより送信されたえインジケーション情報を受信する段階であって、インジケーション情報は、第１の通信デバイスおよび第２の通信デバイスが情報伝送を実行するコンカレントサブフレームを示すために用いられる、段階と、第２の通信デバイスが、第１の通信デバイスにより送信された第１の情報をコンカレントサブフレームにおける第１の時間−周波数リソース上で受信し、コンカレントサブフレームにおける第２の時間−周波数リソース上で第２の情報を第１の通信デバイスへ送信する段階であって、伝送される予定のターゲット情報は第１の情報または第２の情報である、段階とを備える。
【００１５】
前述から、本発明の本実施形態によれば、異なる通信デバイス間のアップリンクおよびダウンリンク情報伝送は、コンカレントサブフレームにおいて実行でき、これにより、レイテンシに対して比較的高い要求を有する情報は、特定のアップリンクサブフレームまたはダウンリンクサブフレームを待つ必要がなく、コンカレントサブフレームにおいてタイムリーに伝送できることが分かる。したがって、レイテンシが効果的に低減でき、スペクトルリソース利用率が向上できる。
【００１６】
任意選択的に、第２の通信デバイスが第１の通信デバイスにより送信されたインジケーション情報を受信する前に、方法は、第２の通信デバイスが、スケジューリング要求メッセージを第１の通信デバイスへ送信する段階であって、スケジューリング要求メッセージは、第２の情報の属性情報を含む、段階をさらに備える。
【００１７】
第３態様によれば、本発明の実施形態は、情報伝送方法を提供する。方法は、ＴＤＤシステムに適用され、方法は、第１の通信デバイスが、第２の通信デバイスと第３の通信デバイスとの間の伝送される予定のターゲット情報の属性情報に基づき、インジケーション情報を決定する段階と、第１の通信デバイスが、インジケーション情報を第２の通信デバイスおよび第３の通信デバイスへ送信する段階であって、インジケーション情報は、第２の通信デバイスおよび第３の通信デバイスが情報伝送を実行するコンカレントサブフレームを示すために用いられる、段階とを備え、コンカレントサブフレームは、第２の通信デバイスが、コンカレントサブフレームにおける第１の時間−周波数リソース上で第１の情報を第３の通信デバイスへ送信するために、かつ、第３の通信デバイスが、コンカレントサブフレームにおける第２の時間−周波数リソース上で第２の情報を第２の通信デバイスへ送信するために用いられ、伝送される予定のターゲット情報は、第１の情報または第２の情報である。
【００１８】
このように、本発明の本実施形態によれば、異なる通信デバイス間の双方向情報伝送は、コンカレントサブフレームにおいて実行でき、これにより、レイテンシに対して比較的高い要求を有する情報は、特定のサブフレームを待つ必要がなく、コンカレントサブフレームタイムリーに伝送できる。したがって、レイテンシが効果的に低減でき、スペクトルリソース利用率が向上できる。
【００１９】
任意選択的に、第１の通信デバイスが、伝送される予定のターゲット情報の属性情報に基づき、インジケーション情報を第２の通信デバイスおよび第３の通信デバイスへ送信する段階は、第１の通信デバイスが、第２の通信デバイスにより送信されたスケジューリング要求メッセージを受信する段階であって、スケジューリング要求メッセージは、伝送される予定のターゲット情報の属性情報を含む、段階と、第１の通信デバイスが、伝送される予定のターゲット情報の属性情報が予め設定された条件を満たし、かつ、第２の通信デバイスと第３の通信デバイスとの間の利用可能なリソースの数が第１の閾値より大きいと決定した後に、インジケーション情報を第２の通信デバイスよび第３の通信デバイスへ送信する段階とを含む。
【００２０】
任意選択的に、伝送される予定のターゲット情報が制御情報である場合、インジケーション情報は、コンカレントサブフレームの識別情報を含む。
【００２１】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【００２２】
任意選択的に、コンカレントサブフレームは、ブランクＲＢをさらに含み、ブランクＲＢは、第１の時間−周波数リソースにおけるＲＢと、第２の時間−周波数リソースにおけるＲＢとの間のガードリソースである。
【００２３】
第４態様によれば、本発明の実施形態は、情報伝送方法を提供する。方法は、ＴＤＤシステムに適用され、方法は、第２の通信デバイスが、第２の通信デバイスと第３の通信デバイスとの間の伝送される予定のターゲット情報の属性情報に基づき、第１の通信デバイスにより送信されたインジケーション情報を受信する段階であって、インジケーション情報は、第２の通信デバイスおよび第３の通信デバイスが情報伝送を実行するコンカレントサブフレームを示すために用いられる、段階と、第２の通信デバイスが、コンカレントサブフレームにおける第１の時間−周波数リソース上で第１の情報を第３の通信デバイスへ送信し、第３の通信デバイスにより送信された第２の情報を、コンカレントサブフレームにおける第２の時間−周波数リソース上で受信する段階とを備える。
【００２４】
任意選択的に、第２の通信デバイスが、第１の通信デバイスにより送信されたインジケーション情報を受信する段階の前に、方法は、第２の通信デバイスが、スケジューリング要求メッセージを第１の通信デバイスへ送信する段階であって、スケジューリング要求メッセージは、伝送される予定のターゲット情報の属性情報を含む、段階をさらに備える。
【００２５】
第５態様によれば、本発明の実施形態は、通信デバイスを提供する。通信デバイスは、通信デバイスと第２の通信デバイスとの間の伝送される予定のターゲット情報の属性情報に基づき、インジケーション情報を第２の通信デバイスへ送信するよう構成される送信モジュールであって、インジケーション情報は、通信デバイスおよび第２の通信デバイスが情報伝送を実行するコンカレントサブフレームを示すために用いられ、送信モジュールは、コンカレントサブフレームにおける第１の時間−周波数リソース上で第１の情報を第２の通信デバイスへ送信するようさらに構成される、送信モジュールと、第２の通信デバイスにより送信された第２の情報を、コンカレントサブフレームにおける第２の時間−周波数リソース上で受信するよう構成される受信モジュールであって、伝送される予定のターゲット情報は第１の情報または第２の情報である、受信モジュールとを備える。
【００２６】
任意選択的に、通信デバイスは、決定モジュールをさらに備え、決定モジュールは、送信モジュールがインジケーション情報を第２の通信デバイスへ送信する前に、第１の情報の属性情報が予め設定された条件を満たし、かつ、通信デバイスと第２の通信デバイスとの間の利用可能なリソースの数が第１の閾値より大きいと決定するよう構成され、または、受信モジュールは、第２の通信デバイスにより送信されたスケジューリング要求メッセージを受信するようさらに構成され、ここで、スケジューリング要求メッセージは、第２の情報の属性情報を含み、決定モジュールは、送信モジュールがインジケーション情報を第２の通信デバイスへ送信する前に、第２の情報の属性情報が予め設定された条件を満たし、かつ、通信デバイスと第２の通信デバイスとの間の利用可能なリソースの数が第１の閾値より大きいと決定する。
【００２７】
任意選択的に、伝送される予定のターゲット情報が制御情報である場合、インジケーション情報は、コンカレントサブフレームの識別情報を含む。
【００２８】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【００２９】
任意選択的に、コンカレントサブフレームは、ブランクＲＢをさらに含み、ブランクＲＢは、第１の時間−周波数リソースにおけるＲＢと第２の時間−周波数リソースにおけるＲＢとの間のガードリソースである。
【００３０】
第６態様によれば、本発明の実施形態は、通信デバイスを提供する。通信デバイスは、第１の通信デバイスと通信デバイスとの間の伝送される予定のターゲット情報に基づき、第１の通信デバイスにより送信されたインジケーション情報を受信するよう構成される受信モジュールであって、インジケーション情報は、第１の通信デバイスおよび通信デバイスが情報伝送を実行するコンカレントサブフレームを示すために用いられ、受信モジュールは、第１の通信デバイスにより送信された第１の情報を、コンカレントサブフレームにおける第１の時間−周波数リソース上で受信するようさらに構成される、受信モジュールと、コンカレントサブフレームにおける第２の時間−周波数リソース上で第２の情報を第１の通信デバイスへ送信するよう構成される送信モジュールであって、伝送される予定のターゲット情報は第１の情報または第２の情報である、送信モジュールとを備える。
【００３１】
任意選択的に、受信モジュールが第１の通信デバイスにより送信されたインジケーション情報を受信する前に、送信モジュールは、スケジューリング要求メッセージを第１の通信デバイスへ送信するようさらに構成され、スケジューリング要求メッセージは、第２の情報の属性情報を含む。
【００３２】
第７態様によれば、本発明の実施形態は、通信デバイスを提供する。通信デバイスは、第２の通信デバイスと第３の通信デバイスとの間の伝送される予定のターゲット情報の属性情報に基づき、インジケーション情報を決定するよう構成される決定モジュールと、インジケーション情報を第２の通信デバイスおよび第３の通信デバイスへ送信するよう構成される送信モジュールであって、インジケーション情報は、第２の通信デバイスおよび第３の通信デバイスが情報伝送を実行するコンカレントサブフレームを示すために用いられる、送信モジュールとを備え、コンカレントサブフレームは、第２の通信デバイスが、コンカレントサブフレームにおける第１の時間−周波数リソース上で第１の情報を第３の通信デバイスへ送信するために、かつ、第３の通信デバイスが、コンカレントサブフレームにおける第２の時間−周波数リソース上で第２の情報を第２の通信デバイスへ送信するために用いられ、伝送される予定のターゲット情報は、第１の情報または第２の情報である。
【００３３】
任意選択的に、通信デバイスは、送信モジュールがインジケーション情報を第２の通信デバイスおよび第３の通信デバイスへ送信する前に、第２の通信デバイスにより送信されたスケジューリング要求メッセージを受信するよう構成される受信モジュールであって、スケジューリング要求メッセージは、伝送される予定のターゲット情報の属性情報を含む、受信モジュールをさらに備え、決定モジュールは、送信モジュールがインジケーション情報を第２の通信デバイスおよび第３の通信デバイスへ送信する前に、伝送される予定のターゲット情報の属性情報が予め設定された条件を満たし、かつ、第２の通信デバイスと第３の通信デバイスとの間の利用可能なリソースの数が第１の閾値より大きいと決定するよう具体的に構成される。
【００３４】
任意選択的に、伝送される予定のターゲット情報が制御情報である場合、インジケーション情報は、コンカレントサブフレームの識別情報を含む。
【００３５】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【００３６】
任意選択的に、コンカレントサブフレームは、ブランクＲＢをさらに含み、ブランクＲＢは、第１の時間−周波数リソースにおけるＲＢと第２の時間−周波数リソースにおけるＲＢとの間のガードリソースである。
【００３７】
第８態様によれば、本発明の実施形態は、通信デバイスを提供する。通信デバイスは、通信デバイスと第３の通信デバイスとの間の伝送される予定のターゲット情報の属性情報に基づき、第１の通信デバイスにより送信されたインジケーション情報を受信するよう構成される受信モジュールであって、インジケーション情報は、通信デバイスおよび第３の通信デバイスが情報伝送を実行するコンカレントサブフレームを示すために用いられる、受信モジュールと、コンカレントサブフレームにおける第１の時間−周波数リソース上で第１の情報を第３の通信デバイスへ送信するよう構成される送信モジュールとを備え、受信モジュールは、第３の通信デバイスにより送信された第２の情報を、コンカレントサブフレームにおける第２の時間−周波数リソース上で受信するようさらに構成される。
【００３８】
任意選択的に、送信モジュールは、スケジューリング要求メッセージを第１の通信デバイスへ送信するようさらに構成され、ここで、スケジューリング要求メッセージは、伝送される予定のターゲット情報の属性情報を含む。
【００３９】
本発明の前述の実施形態において、第１の通信デバイスは、第１の通信デバイスと第２の通信デバイスとの間の伝送される予定のターゲット情報の属性情報に基づき、インジケーション情報を第２の通信デバイスへ送信し、ここで、インジケーション情報は、第１の通信デバイスおよび第２の通信デバイスが情報伝送を実行するコンカレントサブフレームを示すために用いられ、第１の通信デバイスは、コンカレントサブフレームにおいて第１の情報を第２の通信デバイスへ送信し、第２の通信デバイスにより送信された第２の情報をコンカレントサブフレームにおいて受信し、ここで、伝送される予定のターゲット情報は、第１の情報または第２の情報である。前述から、本発明の実施形態によれば、異なる通信デバイス間のアップリンクおよびダウンリンク情報伝送は、コンカレントサブフレームにおいて実行でき、これにより、レイテンシに対して比較的高い要求を有する情報は、特定のアップリンクサブフレームまたはダウンリンクサブフレームを待つ必要がなく、コンカレントサブフレームにおいてタイムリーに伝送できることが分かる。したがって、レイテンシが効果的に低減でき、スペクトルリソース利用率が向上できる。
【図面の簡単な説明】
【００４０】
【図１】本発明の実施形態が適用可能な第１のシステムアーキテクチャの概略図である。
【００４１】
【図２】本発明の実施形態が適用可能な第２のシステムアーキテクチャの概略図である。
【００４２】
【図３】本発明の実施形態が適用可能な第３のシステムアーキテクチャの概略図である。
【００４３】
【図４】本発明の実施形態１に係る情報伝送方法に対応する概略フローチャートである。
【００４４】
【図５ａ】本発明の実施形態１に係る情報伝送の概略図である。
【００４５】
【図５ｂ】本発明の実施形態１に係る情報伝送の別の種類の概略図である。
【００４６】
【図６ａ】第１のＲＢ、第２のＲＢ、および第３のＲＢの分布の概略図である。
【００４７】
【図６ｂ】第１のシンボルのサブキャリア占有率の概略図である。
【００４８】
【図７】ネットワークデバイスと、２つの端末との間の情報伝送の概略図である。
【００４９】
【図８】本発明の実施形態２に係る情報伝送方法に対応する概略フローチャートの例である。
【００５０】
【図９】ネットワークデバイスが、４つの端末を、コンカレントサブフレームにおいて情報伝送を実行するよう制御する概略図である。
【００５１】
【図１０】本発明の実施形態に係る、包括的シナリオにおける情報伝送の概略図である。
【００５２】
【図１１】本発明の実施形態に係る通信デバイスの概略構造図である。
【００５３】
【図１２】本発明の実施形態に係る通信デバイスの概略構造図である。
【００５４】
【図１３】本発明の実施形態に係る通信デバイスの概略構造図である。
【００５５】
【図１４】本発明の実施形態に係る通信デバイスの概略構造図である。
【００５６】
【図１５】本発明の実施形態に係る通信デバイスの概略構造図である。
【００５７】
【図１６】本発明の実施形態に係る通信デバイスの概略構造図である。
【００５８】
【図１７】本発明の実施形態に係る通信デバイスの概略構造図である。
【００５９】
【図１８】本発明の実施形態に係る通信デバイスの概略構造図である。
【発明を実施するための形態】
【００６０】
以下では、添付図面を参照して、本発明の実施形態をさらに詳細に説明する。
【００６１】
表１に列挙されているように、以下の７つのＴＤＤアップリンク（Ｕｐｌｉｎｋ，ＵＬ）／ダウンリンク（Ｄｏｗｎｌｉｎｋ，ＤＬ）配置の合計が、ＬＴＥ  ＴＤＤシステムにおいて定義される。
［表１：ＵＬ／ＤＬ配置］
【表１】
0006904511.tif 000002
【００６２】
表１の内容から、どのＵＬ／ＤＬ配置が用いられているかに関わらず、特別なサブフレーム以外の通常のサブフレームにおいてアップリンク情報伝送またはダウンリンク情報伝送のみが実行できることが分かる。言い換えれば、番号０の配置が用いられるとき、ネットワークデバイスがサブフレーム２においてダウンリンク情報を端末へ送信する必要がある場合、サブフレーム２、サブフレーム３、およびサブフレーム４はすべてアップリンクサブフレームであるため、ネットワークデバイスは、ダウンリンク情報を端末へ送信するためにサブフレーム５まで待つ必要があり、すなわち、３ｍｓ待つ必要がある。
【００６３】
特に、将来の進化型無線通信システムにおいて、例えば、（新無線システムとも称されてよい）５Ｇシステムにおいて、新たなサービスの種類が、超信頼可能かつ低レイテンシの通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ，ＵＲＬＬＣ）サービスと定義される。ＵＲＬＬＣサービスは、高信頼性および低レイテンシを要求し、レイテンシが１ｍｓほど低いと予期する。したがって、前述のＴＤＤ情報伝送モードは、比較的長い情報待ち期間により、ＵＲＬＬＣサービスのレイテンシ要求を満たすことができない。
【００６４】
このことに基づき、アップリンク情報伝送またはダウンリンク情報伝送のみが通常のサブフレームにおいて実行できるので情報待ち期間が比較的長いとの従来技術の問題を考慮し、本発明の実施形態は、情報伝送方法を提供する。具体的には、新たなサブフレームの種類は、すなわち、コンカレントサブフレームは、ＴＤＤフレーム構造において定義され、双方向情報伝送（ｕｐｌｉｎｋ  ａｎｄ  ｄｏｗｎｌｉｎｋ  ｉｎｆｏｒｍａｔｉｏｎ  ｔｒａｎｓｍｉｓｓｉｏｎ）がコンカレントサブフレームにおいて実行できる。さらに、本発明の実施形態において、例えば、番号０の配置が用いられる配置方式において、コンカレントサブフレームは、任意のサブフレームであってよく、例えば、サブフレーム０、サブフレーム１、サブフレーム２、サブフレーム３、サブフレーム４、サブフレーム５、サブフレーム７、サブフレーム８、またはサブフレーム９のうち任意の１または複数であってよい。
【００６５】
本発明の実施形態における情報伝送方法は、複数のシステムアーキテクチャに適用可能であってよい。
【００６６】
図１は、本発明の実施形態が適用可能な第１のシステムアーキテクチャの概略図である。図１に示されているように、システムアーキテクチャは、ネットワークデバイス１０１、および、図１に示されている端末１０２１、端末１０２２、および端末１０２３などの１または複数の端末を含んでよい。ネットワークデバイス１０１は、ネットワークを介して、端末１０２１、端末１０２２、および端末１０２３と情報伝送を実行してよい。
【００６７】
図２は、本発明の実施形態が適用可能な第２のシステムアーキテクチャの概略図である。図２に示されているように、システムアーキテクチャは、図２に示されているネットワークデバイス２０１およびネットワークデバイス２０２などの少なくとも２つのネットワークデバイスを含んでよい。ネットワークデバイス２０１およびネットワークデバイス２０２は、ネットワークを介して、情報伝送を実行してよく、例えば、無線セルフバックホール方式において情報伝送を実行してよい。
【００６８】
図３は、本発明の実施形態が適用可能な第３のシステムアーキテクチャの概略図である。図３に示されているように、システムアーキテクチャは、ネットワークデバイス３０１、および、図３に示されている端末３０２１および端末３０２２などの１または複数の端末を含んでよい。ネットワークデバイス３０１は、ネットワークを介して、端末３０２１および端末３０２２を、情報伝送を実行するように制御してよい。
【００６９】
本発明の実施形態において、ネットワークデバイスは、基地局（ｂａｓｅ  ｓｔａｔｉｏｎ，ＢＳ）であってよい。基地局は、基地局とも称されてよく、無線通信機能を提供する、無線アクセスネットワークにおいて配置される装置である。例えば、２Ｇネットワークにおいて基地局機能を提供するデバイスが、基地トランシーバ局（ｂａｓｅ  ｔｒａｎｓｃｅｉｖｅｒ  ｓｔａｔｉｏｎ，ＢＴＳ）および基地局コントローラ（ｂａｓｅ  ｓｔａｔｉｏｎ  ｃｏｎｔｒｏｌｌｅｒ，ＢＳＣ）を含み、３Ｇネットワークにおいて基地局機能を提供するデバイスが、ノードＢ（ＮｏｄｅＢ）および無線ネットワークコントローラ（ｒａｄｉｏ  ｎｅｔｗｏｒｋ  ｃｏｎｔｒｏｌｌｅｒ，ＲＮＣ）を含み、４Ｇネットワークにおいて基地局機能を提供するデバイスが、進化型ノードＢ（ｅｖｏｌｖｅｄ  ＮｏｄｅＢ，ｅＮＢ）を含み、５Ｇネットワークにおいて基地局機能を提供するデバイスが、新無線ノードＢ（Ｎｅｗ  Ｒａｄｉｏ  ＮｏｄｅＢ，ｇＮＢ）、集中型ユニット（Ｃｅｎｔｒａｌｉｚｅｄ  Ｕｎｉｔ、ＣＵ）、分散型ユニット（Ｄｉｓｔｒｉｂｕｔｅｄ  Ｕｎｉｔ）、および新無線コントローラを含み、ＷＬＡＮにおいて基地局機能を提供するデバイスが、アクセスポイント（Ａｃｃｅｓｓ  Ｐｏｉｎｔ，ＡＰ）である。
【００７０】
端末が、ユーザのために音声および／またはデータ接続性を提供するデバイス（ｄｅｖｉｃｅ）であってよく、有線端末および無線端末を含む。無線端末は、無線接続機能を有するハンドヘルドデバイス、または無線モデムに接続される別の処理デバイスであってよく、無線アクセスネットワークを介して１または複数のコアネットワークと通信するモバイル端末である。例えば、無線端末は、モバイル電話、コンピュータ、タブレットコンピュータ、パーソナルデジタルアシスタント（ｐｅｒｓｏｎａｌ  ｄｉｇｉｔａｌ  ａｓｓｉｓｔａｎｔ，略してＰＤＡ）、モバイル・インターネット・デバイス（ｍｏｂｉｌｅ  Ｉｎｔｅｒｎｅｔ  ｄｅｖｉｃｅ，略してＭＩＤ）、ウェアラブルデバイス、またはｅ−ブックリーダ（ｅ−ｂｏｏｋ  ｒｅａｄｅｒ）であってよい。別の例において、無線端末はあるいは、ポータブルモバイルデバイス、ポケットサイズのモバイルデバイス、ハンドヘルドモバイルデバイス、コンピュータ内蔵モバイルデバイス、または車載モバイルデバイスであってよい。別の例において、無線端末は、移動局（ｍｏｂｉｌｅ  ｓｔａｔｉｏｎ）の一部、アクセスポイント（ａｃｃｅｓｓ  ｐｏｉｎｔ）の一部、またはユーザ機器（ｕｓｅｒ  ｅｑｕｉｐｍｅｎｔ，略してＵＥ）の一部であってよい。
【００７１】
［実施形態１］
図１および図２に示されているシステムアーキテクチャに基づき、図４は、本発明の実施形態１に係る情報伝送方法に対応する概略フローチャートの例である。図４に示されているように、方法は、以下の段階を備える。
【００７２】
段階４０１：第１の通信デバイスが、第１の通信デバイスと第２の通信デバイスとの間の伝送される予定のターゲット情報の属性情報に基づき、インジケーション情報を第２の通信デバイスへ送信し、ここで、インジケーション情報は、第１の通信デバイスおよび第２の通信デバイスが情報伝送を実行するコンカレントサブフレームを示すために用いられる。
【００７３】
段階４０２：第２の通信デバイスが、第１の通信デバイスにより送信されたインジケーション情報を受信する。
【００７４】
段階４０３：第１の通信デバイスがコンカレントサブフレームにおける第１の時間−周波数リソース上で第１の情報を第２の通信デバイスへ送信し、第２の通信デバイスが、コンカレントサブフレームにおける第２の時間−周波数リソース上で第２の情報を第１の通信デバイスへ送信し、ここで、伝送される予定のターゲット情報は、第１の情報または第２の情報である。
【００７５】
前述から、本発明の本実施形態によれば、第１の通信デバイスと第２の通信デバイスとの間の双方向（例えば、アップリンクおよびダウンリンク）情報伝送は、コンカレントサブフレームにおいて実行でき、これにより、レイテンシに対して比較的高い要求を有する情報は、特定のアップリンクサブフレームまたはダウンリンクサブフレームを待つ必要がなく、コンカレントサブフレームにおいてタイムリーに伝送できることが分かる。したがって、レイテンシが効果的に低減でき、スペクトルリソース利用率が向上できる。
【００７６】
本発明の本実施形態の応用シナリオにおいて、第１の通信デバイスは、図１に示されているネットワークデバイス１０１であり、第２の通信デバイスは、図１に示されている第１の端末１０２１、第２の端末１０２２、および第３の端末１０２３のうちのいずれか１つである。あるいは、別の応用シナリオにおいて、第１の通信デバイスは、図２に示されているネットワークデバイス２０１であり、第２の通信デバイスは、図２に示されているネットワークデバイス２０２である。言い換えれば、本発明の本実施形態における情報伝送方法は、ネットワークデバイスと端末との間のアップリンクおよびダウンリンク情報伝送に適用可能であってよく、異なるネットワークデバイス間の情報伝送にも適用可能であってよい。このことは、具体的に限定されない。
【００７７】
説明を容易にするために、以下では、第１の応用シナリオ（すなわち、第１の通信デバイスがネットワークデバイスであり、第２の通信デバイスが端末である）を例として用いて説明を提供する。
【００７８】
伝送される予定のターゲット情報は、ネットワークデバイスにより端末へ送信された第１の情報であってよく、または、端末によりネットワークデバイスへ送信された第２の情報であってよい。したがって、以下では、２つのケースを別々に具体的に説明する。
【００７９】
ケース１：伝送される予定のターゲット情報が第１の情報である。
【００８０】
具体的には、段階４０１において、送信された必要がある第１の情報（すなわち、伝送される予定のターゲット情報）の属性情報が予め設定された条件を満たし、かつ、ネットワークデバイスと端末との間の利用可能なリソースの数が第１の閾値より大きいと決定した後に、ネットワークデバイスは、インジケーション情報を端末へ送信してよい。第１の情報の属性情報は、第１の情報のデータ量および第１の情報のレイテンシ要求などの複数の情報のうち任意の１つ、またはそれらの任意の組み合わせを含んでよい。例えば、第１の情報の属性情報が第１の情報のデータ量および第１の情報のレイテンシ要求を含む場合、第１の情報の属性情報が予め設定された条件を満たすことは、第１の情報のデータ量が第２の閾値より大きいか、またはそれに等しく、かつ、第１の情報のレイテンシ要求が第３の閾値より小さいか、またはそれに等しいことであってよい。第１の閾値、第２の閾値、および第３の閾値の値は、当業者による実際のエクスペリエンスに基づき、設定されてよい。このことは、具体的に限定されない。
【００８１】
言い換えれば、送信された必要がある第１の情報が予め設定された条件を満たさない、またはネットワークデバイスと端末との間の利用可能なリソースの数が第１の閾値より小さいか、またはそれに等しいと決定した場合、ネットワークデバイスは、コンカレントサブフレームを示すようにインジケーション情報を端末へ送信する必要がなくてよく、すなわち、１つのサブフレームにおいて双方向情報伝送を実行する必要がない。
【００８２】
ケース２：伝送される予定のターゲット情報が第２の情報である。
【００８３】
端末が第２の情報をネットワークデバイスへ送信する必要があると決定した後に、端末は、スケジューリング要求メッセージをネットワークデバイスへ送信し、ここで、スケジューリング要求メッセージは、端末が送信する必要がある第２の情報（すなわち、伝送される予定のターゲット情報）の属性情報を含む。それに対応して、ネットワークデバイスは、端末により送信されたスケジューリング要求メッセージを受信し、スケジューリング要求メッセージにおける第２の情報の属性情報に基づき、第２の情報の属性情報が予め設定された条件を満たすか否かを決定する。詳細については、第１の情報の属性情報が予め設定された条件を満たすか否かについての前述の説明を参照されたい。詳細はここでは再び説明しない。第２の情報の属性情報が予め設定された条件を満たし、かつ、ネットワークデバイスと端末との間の利用可能なリソースの数が第１の閾値より大きい場合、ネットワークデバイスは、インジケーション情報を端末へ送信してよい。
【００８４】
言い換えれば、端末が送信する必要がある第２の情報が、予め設定された条件を満たさない、またはネットワークデバイスと端末との間の利用可能なリソースの数が第１の閾値より小さいか、またはそれに等しいと決定した場合、ネットワークデバイスは、コンカレントサブフレームを示すようにインジケーション情報を端末へ送信する必要がなくてよく、すなわち、１つのサブフレームにおいて双方向情報伝送を実行する必要がない。
【００８５】
本出願において、伝送される予定のターゲット情報は、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）上で伝送される情報を含み、制御情報であってよく、情報は具体的には、チャネル品質インジケータ情報（Ｃｈａｎｎｅｌ  Ｑｕａｌｉｔｙ  Ｉｎｄｉｃａｔｏｒ  ＣＱＩ）、ハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）ＡＣＫ、ＮＡＣＫ，または同様のものである。あるいは、伝送される予定のターゲット情報は、データ情報、すなわち、物理アップリンク共有チャネル（Ｐｈｙｓｉｃａｌ  Ｕｐｌｉｎｋ  Ｓｈａｒｅｄ  Ｃｈａｎｎｅｌ  ＰＵＳＣＨ）上で伝送される情報であってよい。異なる伝送される予定のターゲット情報に対して、インジケーション情報は、異なる内容を含んでよい。以下では、詳細な説明を提供する。
【００８６】
（１）伝送される予定のターゲット情報が制御情報である場合、インジケーション情報は、コンカレントサブフレームの識別情報を含んでよい。コンカレントサブフレームの識別情報は、サブフレーム番号であってよく、または、コンカレントサブフレームを識別するために用いられる他の情報であってよい。
【００８７】
具体的には、制御情報は通常、サブフレームにおいて、特定のリソース（すなわち、ネットワークデバイスおよび端末により予め合意されたリソース）を用いて伝送される。したがって、伝送される予定のターゲット情報が制御情報である場合、ネットワークデバイスは、コンカレントサブフレームの識別情報のみを端末へ送信する必要があり、ネットワークデバイスおよび端末は、コンカレントサブフレームにおける特定のリソース上で伝送される予定のターゲット情報を伝送し得る。このように、コンカレントサブフレームの識別情報のデータ量が通常、比較的小さいため、ネットワークデバイスと端末との間のインジケーション情報を伝送するために比較的小さい数の伝送リソースが必要とされる。したがって、伝送負荷が低減される。
【００８８】
例えば、伝送される予定のターゲット情報が第１の情報である。図５ａにおいて示されているように、第１の情報の属性情報が予め設定された条件を満たし、かつ、ネットワークデバイスと端末との間の利用可能なリソースの数が第１の閾値より大きいと決定した後に、ネットワークデバイスは、ｎ＋ｋ番目のサブフレームがコンカレントサブフレームであることを示すようにｎ番目のサブフレームにおいてインジケーション情報を端末へ送信する。その後、ネットワークデバイスは、ｎ＋ｋ番目のサブフレームにおける特定のリソースを用いて第１の情報を送信してよく、それに対応して、端末は、ｎ＋ｋ番目のサブフレームにおける特定のリソース上で第１の情報を受信してよい。加えて、端末は、ｎ＋ｋ番目のサブフレームにおける、特定のリソースと異なるリソースを用いて第２の情報を送信してよく、それに対応して、ネットワークデバイスは、ｎ＋ｋ番目のサブフレームにおける、特定のリソースと異なるリソース上で第２の情報を受信してよい。
【００８９】
別の例において、伝送される予定のターゲット情報は、第２の情報である。図５ｂにおいて示されているように、端末により送信されたスケジューリング要求メッセージを受信した後に、スケジューリング要求メッセージに含まれる、第２の情報の属性情報が予め設定された条件を満たし、かつ、ネットワークデバイスと端末との間の利用可能なリソースの数が第１の閾値より大きいと決定した場合、ネットワークデバイスは、ｎ＋ｋ番目のサブフレームがコンカレントサブフレームであることを示すようにｎ番目のサブフレームにおいてインジケーション情報を端末へ送信する。その後、端末は、ｎ＋ｋ番目のサブフレームにおける特定のリソースを用いて第２の情報を送信してよく、それに対応して、ネットワークデバイスは、ｎ＋ｋ番目のサブフレームにおける特定のリソース上で第２の情報を受信してよい。加えて、ネットワークデバイスは、ｎ＋ｋ番目のサブフレームにおける、特定のリソースと異なるリソースを用いて第１の情報を送信してよく、それに対応して、端末は、ｎ＋ｋ番目のサブフレームにおける、特定のリソースと異なるリソース上で第１の情報を受信してよい。
【００９０】
ｋは、０より大きい整数であってよいことが留意されたい。例えば、ｋは、１より大きいか、またはそれに等しく、かつ、１０より小さいか、またはそれに等しい任意の整数であってよい。よりよく情報待ち期間を短縮してレイテンシを低減するために、ｋの値は、過度に大きくするべきではない。ｋの値は、実際の状況に基づき、具体的に設定されてよい。
【００９１】
（２）伝送される予定のターゲット情報がデータ情報である場合、インジケーション情報は、第１の時間−周波数リソースにおけるＲＢの識別情報と、第２の時間−周波数リソースにおけるＲＢの識別情報とを含んでよい。ＲＢの識別情報は、ＲＢの番号であってよく、または、ＲＢを一意に識別するために用いられる他の情報であってよい。
【００９２】
さらに、第１の時間−周波数リソースにおけるＲＢ上の情報伝送と、第２の時間−周波数リソースにおけるＲＢ上の情報伝送との間の干渉を回避するべく、本発明の本実施形態において、コンカレントサブフレームは、ブランクＲＢをさらに含んでよい。ブランクＲＢは、第１の時間−周波数リソースにおけるＲＢと第２の時間−周波数リソースにおけるＲＢとの間のガードリソースであり、すなわち、ブランクＲＢ上で情報が伝送されない。具体的には、ブランクＲＢの数が、ネットワークデバイスにより、ネットワークデバイスの能力および端末の能力に基づき、決定され得る。例えば、ネットワークデバイスの能力に対して、確保される必要があるＲＢの対応する数が８であり、端末の能力に対して、確保される必要があるＲＢの対応する数が１２である。この場合、ネットワークデバイスは、確保される必要があるＲＢのより大きい数を、ブランクＲＢの数として決定してよく、すなわち、ブランクＲＢの数が１２である。このように、干渉がより効果的に回避される。ネットワークデバイスは、端末に接続されたサービスを確立したとき、端末の能力を取得し得る。
【００９３】
本発明の本実施形態において、第１の時間−周波数リソースにおけるＲＢ（以下では第１のＲＢと称される）の数および第２の時間−周波数リソースにおけるＲＢ（以下では第２のＲＢと称される）の数は、伝送される必要があるデータ量に基づき、決定されてよい。図６ａは、第１のＲＢ、第２のＲＢ、および（第３のＲＢとも称される）ブランクＲＢの分布の概略図である。第１のＲＢの数は、図６ａのサブフレーム２に示されているように、第２のＲＢの数より大きくてよい。あるいは、第１のＲＢの数は、図６ａのサブフレーム４に示されているように、第２のＲＢの数より少ない場合がある。
【００９４】
前述から、本発明の本実施形態において、第１のＲＢおよび第２のＲＢは、伝送される必要があるデータ量に基づき、柔軟に割り当てられてよいことが分かる。言い換えれば、コンカレントサブフレームにおける第１の時間−周波数リソースおよび第２の時間−周波数リソースは、不変ではなく、実際の状況（例えば、伝送される必要があるデータ量）に基づき、動的に割り当てられてよい。加えて、ブランクＲＢも、実際の状況（例えば、ネットワークデバイスの能力および端末の能力）に基づき、柔軟に割り当てられてよい。したがって干渉が効果的に回避されつつ、スペクトルリソースが適切に利用でき、利用率が向上できる。
【００９５】
前述の内容に基づき、本発明の本実施形態のコンカレントサブフレームにおける第１のＲＢ、第２のＲＢ、およびブランクＲＢは、柔軟にスケジューリングでき、これにより、そのような伝送モードが、既存の周波数分割多重システムにおける伝送モードと著しく異なる（周波数分割多重システムにおけるアップリンクおよびダウンリンク情報伝送のために用いられる周波数リソースは、固定割り当てられるリソースである）。加えて、固定幅を有するガードリソースが、既存の周波数分割多重システムにおけるアップリンクおよびダウンリンク情報伝送のために用いられる周波数リソース間で設定され、固定幅の値は通常、比較的大きい。したがって、本発明の本実施形態における方式、すなわち、ネットワークデバイスの能力および端末の能力に基づいてガードリソースを決定する方式は、スペクトルリソース利用率をより効果的に向上させることができる。
【００９６】
例えば、伝送される予定のターゲット情報は、第１の情報である。図５ａに示されているように、第１の情報の属性情報が予め設定された条件を満たし、かつ、ネットワークデバイスと端末との間の利用可能なリソースの数が第１の閾値より大きいと決定した後に、ネットワークデバイスは、ｎ＋ｋ番目のサブフレームにおける第１のＲＢの識別情報と、ｎ＋ｋ番目のサブフレームにおける第２のＲＢの識別情報とを示すように、ｎ番目のサブフレームにおいてインジケーション情報を端末へ送信する。その後、ネットワークデバイスは、ｎ＋ｋ番目のサブフレームにおける第１のＲＢを用いて第１の情報を送信してよく、それに対応して、端末は、ｎ＋ｋ番目のサブフレームにおけうｒ第１のＲＢ上で第１の情報を受信してよい。さらに、端末は、ｎ＋ｋ番目のサブフレームにおける第２のＲＢを用いて第２の情報を送信してよく、それに対応して、ネットワークデバイスは、ｎ＋ｋ番目のサブフレームにおける第２のＲＢ上で第２の情報を受信してよい。
【００９７】
別の例において、伝送される予定のターゲット情報は第２の情報である。図５ｂに示されているように、端末により送信されたスケジューリング要求メッセージを受信した後に、スケジューリング要求メッセージに含まれる、第２の情報の属性情報が予め設定された条件を満たし、かつ、ネットワークデバイスと端末との間の利用可能なリソースの数が第１の閾値より大きいと決定した場合、ネットワークデバイスは、ｎ＋ｋ番目のサブフレームにおける第１のＲＢの識別情報と、ｎ＋ｋ番目のサブフレームにおける第２のＲＢの識別情報とを示すように、ｎ番目のサブフレームにおいてインジケーション情報を端末へ送信する。その後、端末は、ｎ＋ｋ番目のサブフレームにおける第１のＲＢを用いて第２の情報を送信してよく、それに対応して、ネットワークデバイスは、ｎ＋ｋ番目のサブフレームにおける第１のＲＢ上で第２の情報を受信してよい。さらに、ネットワークデバイスは、ｎ＋ｋ番目のサブフレームにおける第２のＲＢを用いて第１の情報を送信してよく、それに対応して、端末は、ｎ＋ｋ番目のサブフレームにおける第２のＲＢ上で第１の情報を受信してよい。
【００９８】
（３）伝送される予定のターゲット情報がデータ情報である場合、インジケーション情報は、第１の時間−周波数リソースにおけるシンボル（以下では第１のシンボルと称されう）の識別情報と、第２の時間−周波数リソースにおけるシンボル（以下では第２のシンボルと称される）の識別情報とを含んでよい。シンボルの識別情報は、シンボルの数であってよく、または、シンボルを一意に識別するために用いられる他の情報であってよい。
【００９９】
本出願において、第１のシンボルにより占有されるサブキャリアの数が、伝送される必要があるデータ量に基づき、決定されてよい。図６ｂは、第１のシンボルのサブキャリア占有率の概略図である。図６ｂのサブフレーム２に示されているように、第１のシンボルは、サブフレームにおけるサブキャリアの大部分を占有してよい。あるいは、図６ｂのサブフレーム４に示されているように、第１のシンボルは、サブフレームにおけるサブキャリアの少数を占有してよい。
【０１００】
前述の（２）および（３）は、周波数ドメインおよび時間ドメインの面から、第１の時間−周波数リソースおよび第２の時間−周波数リソースをそれぞれ制限する。本発明の本実施形態において、伝送される予定のターゲット情報がデータ情報である場合、インジケーション情報はあるいは、第１の時間−周波数リソースにおけるシンボルの識別情報および第２の時間−周波数リソースにおけるシンボルの識別情報と、第１の時間−周波数リソースにおけるＲＢの識別情報および第２の時間−周波数リソースにおけるＲＢの識別情報とを含んでよい。情報伝送を制御するために用いられるリソースがネットワークデバイスおよび端末により予め合意されたリソースではない場合、伝送される予定のターゲット情報が制御情報であるとき、インジケーション情報に含まれる内容については、伝送される予定のターゲット情報がデータ情報であるときのインジケーション情報に含まれる内容を参照されてよいことが留意されたい。同様に、データ情報伝送のために用いられるリソースがネットワークデバイスおよび端末により予め合意されたリソースである場合、伝送される予定のターゲット情報がデータ情報であるとき、インジケーション情報に含まれる内容については、伝送される予定のターゲット情報が制御情報であるときのインジケーション情報に含まれる内容を参照されてよい。
【０１０１】
本発明の本実施形態において、前述のプロセスは、２つの通信デバイスのみの間の情報伝送を例として用いて説明される。第１の通信デバイスがネットワークデバイスであり、第２の通信デバイスが端末であるシナリオにおいて、ネットワークデバイスはあるいは、コンカレントサブフレームにおいて少なくとも２つの端末と情報伝送を実行してよい。
【０１０２】
図７は、ネットワークデバイスと、２つの端末との間の情報伝送の概略図である。図７に示されているように、ネットワークデバイスがダウンリンク情報を端末ｂへ送信する必要があると決定した後に、ネットワークデバイスは、端末ａに、ｎ＋ｋ番目のサブフレームにおいてアップリンクデータをネットワークデバイスへ送信するよう命令するように、ｎ番目のサブフレームにおいてインジケーション情報を端末ａへ送信し、端末ｂに、ネットワークデバイスにより送信されたダウンリンクデータをｎ＋ｋ番目のサブフレームにおいて受信するよう命令するように、インジケーション情報を端末ｂへ送信する。このように、端末ａは、ｎ＋ｋ番目のサブフレームにおけるリソースのうちのいくつか上でアップリンクデータを送信し、端末ｂは、ｎ＋ｋ番目のサブフレームにおえるリソースのうちのいくつか上でダウンリンクデータを受信する。アップリンクデータを送信するためのリソースと、ダウンリンクデータを送信するためのリソースとの間にガードリソースが存在し、それによって、干渉を回避する。
【０１０３】
［実施形態２］
図３に示されているシステムアーキテクチャに基づき、図８は、本発明の実施形態２に係る情報伝送方法に対応する概略フローチャートの例である。図８に示されているように、方法は、以下の段階を備える。
【０１０４】
段階８０１：第１の通信デバイスが第２の通信デバイスと第３の通信デバイスとの間の伝送される予定のターゲット情報の属性情報に基づき、インジケーション情報を決定する。
【０１０５】
段階８０２：第１の通信デバイスは、インジケーション情報を第２の通信デバイスおよび第３の通信デバイスを送信し、ここで、インジケーション情報は、第２の通信デバイスおよび第３の通信デバイスが情報伝送を実行するコンカレントサブフレームを示すために用いられる。
【０１０６】
段階８０３：第２の通信デバイスは、第１の通信デバイスにより送信されたインジケーション情報を受信し、第３の通信デバイスは、第１の通信デバイスにより送信されたインジケーション情報を受信する。
【０１０７】
段階８０４：第２の通信デバイスは、コンカレントサブフレームにおける第１の時間−周波数リソース上で第１の情報を第３の通信デバイスへ送信し、第３の通信デバイスにより送信された第２の情報をコンカレントサブフレームにおける第２の時間−周波数リソース上で受信し、ここで、伝送される予定のターゲット情報は、第１の情報または第２の情報である。
【０１０８】
本発明の本実施形態の応用シナリオにおいて、第１の通信デバイスは、図３に示されているネットワークデバイス３０１であり、第２の通信デバイスは、図３に示されている第１の端末３０２１であり、第３の通信デバイスは、図３に示されている第２の端末３０２２である。
【０１０９】
前述のシナリオにおいて、伝送される予定のターゲット情報は、第１の端末により第２の端末へ送信された第１の情報であってよく、または、第２の端末により第１の端末へ送信された第２の情報であってよい。
【０１１０】
例えば、伝送される予定のターゲット情報は、第１の端末により第２の端末へ送信された第１の情報であってよい。この場合、段階８０１において、第１の端末は、第１の端末が第１の情報を第２の端末へ送信する必要があると決定した後に、スケジューリング要求メッセージをネットワークデバイスへ送信し、ここで、スケジューリング要求メッセージは、第１の端末が送信する必要がある第１の情報（すなわち、伝送される予定のターゲット情報）の属性情報を含み、それに対応して、ネットワークデバイスは、第１の端末により送信されたスケジューリング要求メッセージを受信し、スケジューリング要求メッセージにおける第１の情報の属性情報に基づき、第１の情報の属性情報が予め設定された条件を満たすか否かを決定する。詳細については、実施形態１における説明を参照されたい。詳細はここでは再び説明しない。第１の情報の属性情報が予め設定された条件を満たし、かつ、第１の端末と第２の端末との間の利用可能なリソースの数が第１の閾値より大きい場合、ネットワークデバイスは、インジケーション情報を第１の端末および第２の端末へ送信してよい。
【０１１１】
言い換えれば、第１の端末が第２の端末へ送信する必要がある第１の情報が、予め設定された条件を満たさない、または第１の端末と第２の端末との間の利用可能なリソースの数が第１の閾値より小さいか、またはそれに等しいと決定した場合、ネットワークデバイスは、コンカレントサブフレームを示すようにインジケーション情報を第１の端末および第２の端末へ送信する必要がなくてよく、すなわち、第１の端末および第２の端末は、１つのサブフレームにおいて双方向情報伝送を実行する必要がない。
【０１１２】
本出願において、伝送される予定のターゲット情報が制御情報である場合、インジケーション情報は、コンカレントサブフレームの識別情報を含む。
【０１１３】
伝送される予定のターゲット情報がデータ情報である場合、インジケーション情報は、コンカレントサブフレームにおける第１のＲＢの識別情報と、コンカレントサブフレームにおける第２のＲＢの識別情報とを含む。第１のＲＢは、第１の端末と第２の端末との間の伝送される予定のターゲット情報を伝送するために用いられ、第２のＲＢは、第１の端末と第２の端末との間の、伝送される予定のターゲット情報以外の情報を伝送するために用いられる。あるいは、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。具体的な内容については、前述の実施形態１における説明を参照されたい。詳細はここでは再び説明しない。
【０１１４】
前述のプロセスは、ネットワークデバイスが２つの端末のみの間の情報伝送処理を制御する例を用いて説明されていることが留意されたい。本発明の本実施形態において、ネットワークデバイスはあるいは、複数の端末を、コンカレントサブフレームにおいて情報伝送を実行するよう制御してよい。図９は、ネットワークデバイスが、４つの端末を、コンカレントサブフレームにおいて情報伝送を実行するよう制御する概略図である。図９に示されているように、端末ａは、端末ａが、情報を端末ｂへ送信する必要があると決定し、端末ｃは、端末ｃが情報を端末ｄへ送信する必要があると決定する。この場合、端末ａおよび端末ｃは、ｎ番目のサブフレームにおいて、スケジューリング要求メッセージをネットワークデバイスへ送信する。スケジューリング要求メッセージを受信した後に、ネットワークデバイスは、端末ａおよび端末ｂにｎ＋ｋ番目のサブフレームにおいて第１の方向における情報伝送を実行するよう命令するように、インジケーション情報を端末ａおよび端末ｂへ送信し、端末ｃおよび端末ｄに、ｎ＋ｋ番目のサブフレームにおいて第２の方向における情報伝送を実行するよう命令するように、インジケーション情報を端末ｃおよび端末ｄへ送信する。加えて、第１の方向における情報伝送により占有されるリソースと、第２の方向における情報伝送により占有されるリソースとの間にガードリソースが存在し、それによって、干渉を回避する。
【０１１５】
前述の実施形態１および実施形態２を参照して、本発明の実施形態は、包括的シナリオをさらに提供する。シナリオにおいて、ネットワークデバイスおよび端末ａは、コンカレントサブフレームにおいて情報伝送を実行し、ネットワークデバイスは、端末ｂおよび端末ｃを、コンカレントサブフレームにおいて情報伝送を実行するよう制御する。図１０は、本発明の本実施形態に係る包括的シナリオにおける情報伝送の概略図である。図１０に示されているように、端末ａが、端末ａがアップリンク情報をネットワークデバイスへ送信する必要があると決定し、端末ｂが、端末ｂが情報を端末ｃへ送信する必要があると決定した後に、端末ａおよび端末ｂは、ｎ番目のサブフレームにおいてスケジューリング要求メッセージをネットワークデバイスへ送信する。スケジューリング要求メッセージを受信した後に、ネットワークデバイスは、端末ａにｎ＋ｋ番目のサブフレームにおいてアップリンク情報をネットワークデバイスへ送信するよう命令するように、インジケーション情報を端末ａへ送信し、端末ｂおよび端末ｃに、ｎ＋ｋ番目のサブフレームにおいて情報伝送を実行するよう命令するように、インジケーション情報を端末ｂおよび端末ｃへ送信する。加えて、端末ａがアップリンク情報をネットワークデバイスへ送信するときに占有されるリソースと、端末ｂおよび端末ｃが情報伝送を実行するときに占有されるリソースとの間にガードリソースが存在し、それによって、干渉を回避する。
【０１１６】
前述の方法プロセスに対して、本発明の実施形態は、通信デバイスをさらに提供する。通信デバイスについての具体的な内容については、前述の方法の実施形態を参照されたい。
【０１１７】
図１１は、本発明の実施形態に係る通信デバイスの概略構造図である。通信デバイス１１００は、送信モジュール１１０１と、受信モジュール１１０２と、決定モジュール１１０３とを備える。
【０１１８】
送信モジュール１１０１は、通信デバイスと第２の通信デバイスとの間の伝送される予定のターゲット情報の属性情報に基づき、インジケーション情報を第２の通信デバイスへ送信するよう構成され、ここで、インジケーション情報は、通信デバイスおよび第２の通信デバイスが情報伝送を実行するコンカレントサブフレームを示すために用いられる。
【０１１９】
送信モジュール１１０１は、コンカレントサブフレームにおける第１の時間−周波数リソース上で第１の情報を第２の通信デバイスへ送信するようさらに構成される。
【０１２０】
受信モジュール１１０２は、第２の通信デバイスにより送信された第２の情報を、コンカレントサブフレームにおける第２の時間−周波数リソース上で受信するよう構成され、ここで、伝送される予定のターゲット情報は、第１の情報または第２の情報である。
【０１２１】
任意選択的に、決定モジュール１１０３は、送信モジュール１１０１がインジケーション情報を第２の通信デバイスへ送信する前に、第１の情報の属性情報が予め設定された条件を満たし、かつ、通信デバイスと第２の通信デバイスとの間の利用可能なリソースの数が第１の閾値より大きいと決定するよう構成されるか、または、受信モジュール１１０２は、第２の通信デバイスにより送信されたスケジューリング要求メッセージを受信するようさらに構成され、ここで、スケジューリング要求メッセージは、第２の情報の属性情報を含む。決定モジュール１１０３は、送信モジュール１１０１がインジケーション情報を第２の通信デバイスへ送信する前に、第２の情報の属性情報が予め設定された条件を満たし、かつ、通信デバイスと第２の通信デバイスとの間の利用可能なリソースの数が第１の閾値より大きいと決定する。
【０１２２】
任意選択的に、伝送される予定のターゲット情報が制御情報である場合、インジケーション情報は、コンカレントサブフレームの識別情報を含む。
【０１２３】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【０１２４】
任意選択的に、コンカレントサブフレームは、ブランクＲＢをさらに含み、ブランクＲＢは、第１の時間−周波数リソースにおけるＲＢと、第２の時間−周波数リソースにおけるＲＢとの間のガードリソースである。
【０１２５】
図１２は、本発明の実施形態に係る通信デバイスを示す。通信デバイス１２００は、送信モジュール１２０１および受信モジュール１２０２を備える。
【０１２６】
受信モジュール１２０２は、第１の通信デバイスと通信デバイスとの間の伝送される予定のターゲット情報に基づき、第１の通信デバイスにより送信されたインジケーション情報を受信するよう構成され、ここで、インジケーション情報は、第１の通信デバイスおよび通信デバイスが情報伝送を実行するコンカレントサブフレームを示すために用いられる。
【０１２７】
受信モジュール１２０２は、第１の通信デバイスにより送信された第１の情報を、コンカレントサブフレームにおける第１の時間−周波数リソース上で受信するようさらに構成される。
【０１２８】
送信モジュール１２０１は、コンカレントサブフレームにおける第２の時間−周波数リソース上で第２の情報を第１の通信デバイスへ送信するよう構成され、ここで、伝送される予定のターゲット情報は、第１の情報または第２の情報である。
【０１２９】
任意選択的に、受信モジュール１２０２が第１の通信デバイスにより送信されたインジケーション情報を受信する前に、送信モジュール１２０１は、スケジューリング要求メッセージを第１の通信デバイスへ送信するようさらに構成され、ここで、スケジューリング要求メッセージは、第２の情報の属性情報を含む。
【０１３０】
図１３は、本発明の実施形態に係る通信デバイスの概略構造図である。通信デバイス１３００は、送信モジュール１３０１と、受信モジュール１３０２と、決定モジュール１３０３とを備える。
【０１３１】
決定モジュール１３０３は、第２の通信デバイスと第３の通信デバイスとの間の伝送される予定のターゲット情報の属性情報に基づき、インジケーション情報を決定するよう構成される。
【０１３２】
送信モジュール１３０１は、インジケーション情報を第２の通信デバイスおよび第３の通信デバイスへ送信するよう構成され、ここで、インジケーション情報は、第２の通信デバイスおよび第３の通信デバイスが情報伝送を実行するコンカレントサブフレームを示すために用いられる。
【０１３３】
コンカレントサブフレームは、第２の通信デバイスが、コンカレントサブフレームにおける第１の時間−周波数リソース上で第１の情報を第３の通信デバイスへ送信するために、かつ、第３の通信デバイスが、コンカレントサブフレームにおける第２の時間−周波数リソース上で第２の情報を第２の通信デバイスへ送信するために用いられ、伝送される予定のターゲット情報は、第１の情報または第２の情報である。
【０１３４】
任意選択的に、受信モジュール１３０２は、送信モジュール１３０１がインジケーション情報を第２の通信デバイスおよび第３の通信デバイスへ送信する前に、第２の通信デバイスにより送信されたスケジューリング要求メッセージを受信するよう構成され、ここで、スケジューリング要求メッセージは、伝送される予定のターゲット情報の属性情報を含む。
【０１３５】
決定モジュール１３０３は具体的に、送信モジュール１３０１がインジケーション情報を第２の通信デバイスおよび第３の通信デバイスへ送信する前に、伝送される予定のターゲット情報の属性情報が予め設定された条件を満たし、かつ、第２の通信デバイスと第３の通信デバイスとの間の利用可能なリソースの数が第１の閾値より大きいと決定するよう構成される。
【０１３６】
任意選択的に、伝送される予定のターゲット情報が制御情報である場合、インジケーション情報は、コンカレントサブフレームの識別情報を含む。
【０１３７】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【０１３８】
任意選択的に、コンカレントサブフレームは、ブランクＲＢをさらに含み、ブランクＲＢは、第１の時間−周波数リソースにおけるＲＢと第２の時間−周波数リソースにおけるＲＢとの間のガードリソースである。
【０１３９】
図１４は、本発明の実施形態に係る通信デバイスの概略構造図である。通信デバイス１４００は、送信モジュール１４０１および受信モジュール１４０２を備える。
【０１４０】
受信モジュール１４０２は、通信デバイスと第３の通信デバイスとの間の伝送される予定のターゲット情報の属性情報に基づき、第１の通信デバイスにより送信されたインジケーション情報を受信するよう構成され、ここで、インジケーション情報は、通信デバイスおよび第３の通信デバイスが情報伝送を実行するコンカレントサブフレームを示すために用いられる。
【０１４１】
送信モジュール１４０１は、コンカレントサブフレームにおける第１の時間−周波数リソース上で第１の情報を第３の通信デバイスへ送信するよう構成される。
【０１４２】
受信モジュール１４０２は、第３の通信デバイスにより送信された第２の情報を、コンカレントサブフレームにおける第２の時間−周波数リソース上で受信するようさらに構成される。
【０１４３】
任意選択的に、送信モジュール１４０１は、スケジューリング要求メッセージを第１の通信デバイスへ送信するようさらに構成され、ここで、スケジューリング要求メッセージは、伝送される予定のターゲット情報の属性情報を含む。
【０１４４】
図１５は、本発明の実施形態に係る通信デバイスの概略構造図である。通信デバイス１５００は、前述の第１の通信デバイスにより実行される方法のプロセスを実行するよう構成される。図１５に示されているように、通信デバイス１５００は、送信機１５０１ａと、受信機１５０１ｂと、プロセッサ１５０２と、メモリ１５０３と、バスシステム１５０４とを備える。
【０１４５】
メモリ１５０３は、プログラムを記憶するよう構成される。具体的には、プログラムは、プログラムコードを含んでよく、プログラムコードは、コンピュータ演算命令を含む。メモリ１５０３は、ランダムアクセスメモリ（ｒａｎｄｏｍ  ａｃｃｅｓｓ  ｍｅｍｏｒｙ，略してＲＡＭ）であってよく、または、少なくとも１つの磁気ディスク記憶装置などの不揮発性メモリ（ｎｏｎ−ｖｏｌａｔｉｌｅ  ｍｅｍｏｒｙ）であってよい。１つのメモリのみが図面に示されている。当然ながら、あるいは、要求に応じて、複数のメモリが構成されてよい。メモリ１５０３はあるいは、プロセッサ１５０２におけるメモリであってよい。
【０１４６】
メモリ１５０３は、以下の要素を記憶する：
実行可能なモジュールまたはデータ構造、またはそれらのサブセット、またはそれらの拡張セット、
様々な動作命令を含む、様々な動作を実行するために用いられる演算命令、および、
様々なシステムプログラムを含む、様々な基本サービスを実行し、ハードウェアベースのタスクを処理するために用いられるオペレーティングシステムである。
【０１４７】
プロセッサ１５０２は、通信デバイス１５００の動作を制御する。プロセッサ１５０２は、ＣＰＵ（Ｃｅｎｔｒａｌ  Ｐｒｏｃｅｓｓｉｎｇ  Ｕｎｉｔ，中央演算処理装置）とも称されてよい。特定用途において、デバイス１５００の構成要素が、バスシステム１５０４を用いることによって共に結合される。データバスに加えて、バスシステム１５０４は、電力バス、制御バス、ステータス信号バス、および同様のものを含んでよい。しかしながら、明白な説明のために、図面における様々なバスはすべて、バスシステム１５０４として表される。説明を容易にするべく、図１５において、バスシステム１５０４は単に模式的に描かれている。
【０１４８】
本出願の実施形態に開示されている方法は、プロセッサ１５０２に適用されてよく、または、プロセッサ１５０２を用いて実行されてよい。プロセッサ１５０２は、集積回路チップであってよく、信号処理能力を有する。実行プロセスにおいて、前述の方法における段階は、プロセッサ１５０２におけるハードウェア集積論理回路を用いることによって、または、ソフトウェアの形態の命令を用いることによって、実行されてよい。プロセッサ１５０２は、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブルロジックデバイス、ディスクリートゲートまたはトランジスタロジックデバイス、またはディスクリートハードウェアコンポーネントであってよい。プロセッサ１５０２は、本出願の実施形態に開示されている方法の段階、および論理ブロック図を実現、または実行し得る。汎用プロセッサは、マイクロプロセッサであってよく、またはプロセッサは、任意の従来のプロセッサまたは同様のものであってよい。本出願の実施形態を参照して開示される方法の段階は、ハードウェアデコードプロセッサを用いることによって直接実行されてよく、または、復号プロセッサのハードウェアおよびソフトウェアモジュールの組み合わせを用いることによって実行されてよい。ソフトウェアモジュールは、ランダムアクセスメモリ、フラッシュメモリ、リードオンリメモリ、プログラマブルリードオンリメモリ、電気的に消去可能プログラマブルメモリ、またはレジスタなどの当技術分野における成熟した記憶媒体に位置してよい。  記憶媒体は、メモリ１５０３に位置し、プロセッサ１５０２は、メモリ１５０３における情報を読み出し、プロセッサ１５０２のハードウェアとの組み合わせにおいて以下の方法の段階を実行する：
送信機１５０１ａを用いることによって、通信デバイスと第２の通信デバイスとの間の伝送される予定のターゲット情報の属性情報に基づい、インジケーション情報を第２の通信デバイスへ送信し、ここで、インジケーション情報は、通信デバイスおよび第２の通信デバイスが情報伝送を実行するコンカレントサブフレームを示すために用いられる。
【０１４９】
送信機１５０１ａは、コンカレントサブフレームにおける第１の時間−周波数リソース上で第１の情報を第２の通信デバイスへ送信するようさらに構成される。
【０１５０】
受信機１５０１ｂは、第２の通信デバイスにより送信された第２の情報を、コンカレントサブフレームにおける第２の時間−周波数リソース上で受信するよう構成され、ここで、伝送される予定のターゲット情報は、第１の情報または第２の情報である。
【０１５１】
任意選択的に、プロセッサ１５０２は、送信機１５０１ａがインジケーション情報を第２の通信デバイスへ送信する前に、第１の情報属性情報が予め設定された条件を満たし、かつ、通信デバイスと第２の通信デバイスとの間の利用可能なリソースの数が第１の閾値より大きいと決定するよう構成される。
【０１５２】
受信機１５０１ｂは、第２の通信デバイスにより送信されたスケジューリング要求メッセージを受信するようさらに構成され、ここで、スケジューリング要求メッセージは、第２の情報の属性情報を含み、プロセッサ１５０２は、送信機１５０１ａがインジケーション情報を第２の通信デバイスへ送信する前に、第２の情報の属性情報が予め設定された条件を満たし、かつ、通信デバイスと第２の通信デバイスとの間の利用可能なリソースの数が第１の閾値より大きいと決定する。
【０１５３】
任意選択的に、伝送される予定のターゲット情報が制御情報である場合、インジケーション情報は、コンカレントサブフレームの識別情報を含む。
【０１５４】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【０１５５】
任意選択的に、コンカレントサブフレームは、ブランクＲＢをさらに含み、ブランクＲＢは、第１の時間−周波数リソースにおけるＲＢと、第２の時間−周波数リソースにおけるＲＢとの間のガードリソースである。
【０１５６】
図１６は、本発明の実施形態に係る通信デバイスの概略構造図である。通信デバイスは、前述の第２の通信デバイスにより実行される方法のプロセスを実行するよう構成される。図１６に示されているように、通信デバイス１６００は、送信機１６０１ａと、受信機１６０１ｂと、プロセッサ１６０２と、メモリ１６０３と、バスシステム１６０４とを備える。
【０１５７】
メモリ１６０３は、プログラムを記憶するよう構成される。具体的には、プログラムは、プログラムコードを含んでよく、プログラムコードは、コンピュータ演算命令を含む。メモリ１６０３は、ランダムアクセスメモリ（ｒａｎｄｏｍ  ａｃｃｅｓｓ  ｍｅｍｏｒｙ，略してＲＡＭ）であってよく、または少なくとも１つの磁気ディスク記憶装置などの不揮発性メモリ（ｎｏｎ−ｖｏｌａｔｉｌｅ  ｍｅｍｏｒｙ）であってよい。１つのメモリのみが図面に示されている。当然ながら、あるいは、要求に応じて、複数のメモリが構成されてよい。メモリ１６０３は、あるいは、プロセッサ１６０２におけるメモリであってよい。
【０１５８】
メモリ１６０３は、以下の要素を記憶する：
実行可能なモジュールまたはデータ構造、またはそれらのサブセット、またはそれらの拡張セット、
様々な動作命令を含む、様々な動作を実行するために用いられる演算命令、および、
様々なシステムプログラムを含む、様々な基本サービスを実行し、ハードウェアベースのタスクを処理するために用いられるオペレーティングシステムである。
【０１５９】
プロセッサ１６０２は、通信デバイス１６００の動作を制御する。プロセッサ１６０２はＣＰＵ（Ｃｅｎｔｒａｌ  Ｐｒｏｃｅｓｓｉｎｇ  Ｕｎｉｔ，中央演算処理装置）とも称されてよい。特定用途において、通信デバイス１６００の構成要素は、バスシステム１６０４を用いることによって共に結合される。データバスに加えて、バスシステム１６０４は、電力バス、制御バス、ステータス信号バス、および同様のものを含んでよい。しかしながら、明白な説明のために、図面における様々なバスはすべて、バスシステム１６０４として表されている。説明を容易にするべく、図１６において、バスシステム１６０４は単に模式的に描かれている。
【０１６０】
本出願の実施形態に開示されている方法は、プロセッサ１６０２に適用されてよく、または、プロセッサ１６０２を用いることによって実行されてよい。プロセッサ１６０２は、集積回路チップであってよく、信号処理能力を有する。実行プロセスにおいて、前述の方法における段階は、プロセッサ１６０２におけるハードウェア集積論理回路を用いることによって、またはソフトウェアの形態の命令を用いることによって実行されてよい。プロセッサ１６０２は、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブルロジックデバイス、ディスクリートゲート、またはトランジスタロジックデバイス、またはディスクリートハードウェアコンポーネントであってよい。プロセッサ１６０２は、本出願の実施形態に開示されている方法の段階、および論理ブロック図を実現または実行し得る。汎用プロセッサは、マイクロプロセッサであってよく、またはプロセッサは、任意の従来のプロセッサまたは同様のものであってよい。本出願の実施形態を参照して開示されている方法の段階は、ハードウェアデコードプロセッサを用いることによって直接実行されてよく、または復号プロセッサびハードウェアおよびソフトウェアモジュールの組み合わせを用いることによって実行されてよい。ソフトウェアモジュールは、ランダムアクセスメモリ、フラッシュメモリ、リードオンリメモリ、プログラマブルリードオンリメモリ、電気的に消去可能プログラマブルメモリ、またはレジスタなどの当技術分野における成熟した記憶媒体に位置してよい。  記憶媒体は、メモリ１６０３に位置し、プロセッサ１６０２は、メモリ１６０３における情報を読み出し、プロセッサ１６０２のハードウェアとの組み合わせにおいて以下の方法の段階を実行する：
受信機１６０１ｂを用いることによって、第１の通信デバイスと通信デバイスとの間の伝送される予定のターゲット情報に基づき、第１の通信デバイスにより送信されたインジケーション情報を受信し、ここで、インジケーション情報は、第１の通信デバイスおよび通信デバイスが情報伝送を実行するコンカレントサブフレームを示すために用いられる。
【０１６１】
受信機１６０１ｂは、第１の通信デバイスにより送信された第１の情報を、コンカレントサブフレームにおける第１の時間−周波数リソース上で受信するようさらに構成される。
【０１６２】
送信機１６０１ａは、コンカレントサブフレームにおける第２の時間−周波数リソース上で第２の情報を第１の通信デバイスへ送信するよう構成され、ここで、伝送される予定のターゲット情報は第１の情報または第２の情報である。
【０１６３】
任意選択的に、受信機１６０１ｂが第１の通信デバイスにより送信されたインジケーション情報を受信する前に、送信機１６０１ａは、スケジューリング要求メッセージを第１の通信デバイスへ送信するようさらに構成され、ここで、スケジューリング要求メッセージは、第２の情報の属性情報を含む。
【０１６４】
図１７は、本発明の実施形態に係る通信デバイスの概略構造図である。デバイスは、前述の第１の通信デバイスにより実行される方法のプロセスを実行するよう構成される。図１７に示されているように、通信デバイス１７００は、送信機１７０１ａと、受信機１７０１ｂと、プロセッサ１７０２と、メモリ１７０３と、バスシステム１７０４とを備える。
【０１６５】
メモリ１７０３は、プログラムを記憶するよう構成される。具体的には、プログラムは、プログラムコードを含んでよく、プログラムコードは、コンピュータ演算命令を含む。メモリ１７０３は、ランダムアクセスメモリ（ｒａｎｄｏｍ  ａｃｃｅｓｓ  ｍｅｍｏｒｙ，略してＲＡＭ）であってよく、または、少なくとも１つの磁気ディスク記憶装置などの不揮発性メモリ（ｎｏｎ−ｖｏｌａｔｉｌｅ  ｍｅｍｏｒｙ）であってよい。１つのメモリのみが図面に示されている。当然ながら、あるいは、要求に応じて複数のメモリが構成されてよい。メモリ１７０３はあるいは、プロセッサ１７０２におけるメモリであってよい。
【０１６６】
メモリ１７０３は、以下の要素を記憶する：
実行可能なモジュールまたはデータ構造、またはそれらのサブセット、またはそれらの拡張セット、
様々な動作命令を含む、様々な動作を実行するために用いられる演算命令、および、
様々なシステムプログラムを含む、様々な基本サービスを実行し、ハードウェアベースのタスクを処理するために用いられるオペレーティングシステムである。
【０１６７】
プロセッサ１７０２は、通信デバイス１７００の動作を制御する。プロセッサ１７０２は、ＣＰＵ（Ｃｅｎｔｒａｌ  Ｐｒｏｃｅｓｓｉｎｇ  Ｕｎｉｔ、中央演算処理装置）とも称されてよい。特定用途において、通信デバイス１７００の構成要素は、バスシステム１７０４を用いることによって共に結合される。データバスに加えて、バスシステム１７０４は、電力バス、制御バス、ステータス信号バス、および同様のものを含んでよい。しかしながら、明白な説明のために、図面における様々なバスはすべて、バスシステム１７０４として表される。説明を容易にするべく、図１７において、バスシステム１７０４は単に、模式的に描かれている。
【０１６８】
本出願の実施形態に開示されている方法は、プロセッサ１７０２に適用されてよく、または、プロセッサ１７０２を用いることによって実行されてよい。プロセッサ１７０２は、集積回路チップであってよく、信号処理能力を有する。実行プロセスにおいて、前述の方法における段階は、プロセッサ１７０２におけるハードウェア集積論理回路を用いることによって、またはソフトウェアの形態の命令を用いることによって実行されてよい。プロセッサ１７０２は、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブルロジックデバイス、ディスクリートゲート、またはトランジスタロジックデバイス、またはディスクリートハードウェアコンポーネントであってよい。プロセッサ１７０２は、本出願の実施形態に開示されている方法、段階、および論理ブロック図を実現または実行してよい。汎用プロセッサは、マイクロプロセッサであってよく、またはプロセッサは、任意の従来のプロセッサまたは同様のものであってよい。本出願の実施形態を参照して開示されている方法の段階は、ハードウェアデコードプロセッサを用いることによって直接実行されてよく、または、復号プロセッサのハードウェアおよびソフトウェアモジュールの組み合わせを用いることによって実行されてよい。ソフトウェアモジュールは、ランダムアクセスメモリ、フラッシュメモリ、リードオンリメモリ、プログラマブルリードオンリメモリ、電気的に消去可能プログラマブルメモリ、またはレジスタなどの当技術分野における成熟した記憶媒体に位置してよい。記憶媒体は、メモリ１７０３に位置し、プロセッサ１７０２は、メモリ１７０３における情報を読み出し、プロセッサ１７０２のハードウェアとの組み合わせにおいて以下の方法の段階を実行する：
第２の通信デバイスと第３の通信デバイスとの間の伝送される予定のターゲット情報の属性情報に基づき、インジケーション情報を決定する。
【０１６９】
送信機１７０１ａは、インジケーション情報を第２の通信デバイスおよび第３の通信デバイスへ送信するよう構成され、ここで、インジケーション情報は、第２の通信デバイスおよび第３の通信デバイスが情報伝送を実行するコンカレントサブフレームを示すために用いられる。
【０１７０】
コンカレントサブフレームは、第２の通信デバイスが第１の情報をコンカレントサブフレームにおける第１の時間−周波数リソース上で第３の通信デバイスへ送信するために、かつ、第３の通信デバイスが第２の情報をコンカレントサブフレームにおける第２の時間−周波数リソース上で第２の通信デバイスへ送信するために用いられ、伝送される予定のターゲット情報は、第１の情報または第２の情報である。
【０１７１】
任意選択的に、受信機１７０１ｂは、送信機１７０１ａがインジケーション情報を第２の通信デバイスおよび第３の通信デバイスへ送信する前に、第２の通信デバイスにより送信されたスケジューリング要求メッセージを受信するよう構成され、ここで、スケジューリング要求メッセージは、伝送される予定のターゲット情報の属性情報を含む。
【０１７２】
プロセッサ１７０２は具体的に、送信機１７０１ａがインジケーション情報を第２の通信デバイスおよび第３の通信デバイスへ送信する前に、伝送される予定のターゲット情報の属性情報が予め設定された条件を満たし、かつ、第２の通信デバイスと第３の通信デバイスとの間の利用可能なリソースの数が第１の閾値より大きいと決定するよう構成される。
【０１７３】
任意選択的に、伝送される予定のターゲット情報が制御情報である場合、インジケーション情報は、コンカレントサブフレームの識別情報を含む。
【０１７４】
任意選択的に、伝送される予定のターゲット情報がデータ情報である場合、インジケーション情報は、第１の時間−周波数リソースにおけるシンボルの識別情報と、第２の時間−周波数リソースにおけるシンボルの識別情報とを含み、および／または、インジケーション情報は、第１の時間−周波数リソースにおけるＲＢの識別情報と、第２の時間−周波数リソースにおけるＲＢの識別情報とを含む。
【０１７５】
任意選択的に、コンカレントサブフレームは、ブランクＲＢをさらに含、お、ブランクＲＢは、第１の時間−周波数リソースにおけるＲＢと、第２の時間−周波数リソースにおけるＲＢとの間のガードリソースである。
【０１７６】
図１８は、本発明の実施形態に係る通信デバイスの概略構造図である。通信デバイスは、前述の第２の通信デバイスにより実行される方法のプロセスを実行するよう構成される。図１８に示されているように、通信デバイス１８００は、送信機１８０１ａと、受信機１８０１ｂと、プロセッサ１８０２と、メモリ１８０３と、バスシステム１８０４とを備える。
【０１７７】
メモリ１８０３は、プログラムを記憶するよう構成される。具体的には、プログラムは、プログラムコードを含んでよく、プログラムコードは、コンピュータ演算命令を含む。メモリ１８０３は、ランダムアクセスメモリ（ｒａｎｄｏｍ  ａｃｃｅｓｓ  ｍｅｍｏｒｙ，略してＲＡＭ）であってよく、または、少なくとも１つの磁気ディスク記憶装置などの不揮発性メモリ（ｎｏｎ−ｖｏｌａｔｉｌｅ  ｍｅｍｏｒｙ）であてよい。１つのメモリのみが図面に示されている。当然ながら、あるいは、要求に応じて、複数のメモリが構成されてよい。メモリ１８０３は、あるいは、プロセッサ１８０２におけるメモリであってよい。
【０１７８】
メモリ１８０３は、以下の要素を記憶する：
実行可能なモジュールまたはデータ構造、またはそれらのサブセット、またはそれらの拡張セット、
様々な動作命令を含む、様々な動作を実行するために用いられる演算命令、および、
様々なシステムプログラムを含む、様々な基本サービスを実行し、ハードウェアベースのタスクを処理するために用いられるオペレーティングシステムである。
【０１７９】
プロセッサ１８０２は、デバイス１８００の動作を制御する。プロセッサ１８０２は、ＣＰＵ（Ｃｅｎｔｒａｌ  Ｐｒｏｃｅｓｓｉｎｇ  Ｕｎｉｔ、中央演算処理装置）とも称されてよい。特定用途において、デバイス１８００の構成要素は、バスシステム１８０４を用いることによって共に結合される。データバスに加えて、バスシステム１８０４は、電力バス、制御バス、ステータス信号バス、および同様のものを含んでよい。しかしながら、明白な説明のために、図面における様々なバスはすべて、バスシステム１８０４として表されている。説明を容易にするべく、図１８において、バスシステム１８０４は単に、模式的に描かれている。
【０１８０】
本出願の実施形態に開示されている方法は、プロセッサ１８０２に適用されてよく、または、プロセッサ１８０２を用いることによって実行されてよい、プロセッサ１８０２は、集積回路チップであってよく、信号処理能力を有する。実行プロセスにおいて、前述の方法における段階は、プロセッサ１８０２におけるハードウェア集積論理回路を用いることによって、またはソフトウェアの形態の命令を用いることによって実行されてよい。プロセッサ１８０２は、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブルロジックデバイス、ディスクリートゲート、またはトランジスタロジックデバイス、またはディスクリートハードウェアコンポーネントであってよい。プロセッサ１８０２は、本出願の実施形態に開示されている方法、段階、および論理ブロック図を実現または実行してよい。汎用プロセッサは、マイクロプロセッサであってよく、またはプロセッサは、任意の従来のプロセッサ、または同様のものであってよい。本出願の実施形態を参照して開示されている方法の段階は、ハードウェアデコードプロセッサを用いることによって直接実行されてよく、または復号プロセッサのハードウェアおよびソフトウェアモジュールの組み合わせを用いることによって実行されてよい。ソフトウェアモジュールは、ランダムアクセスメモリ、フラッシュメモリ、リードオンリメモリ、プログラマブルリードオンリメモリ、電気的に消去可能プログラマブルメモリ、またはレジスタなどの当技術分野における成熟した記憶媒体に位置されてよい。記憶媒体は、メモリ１８０３に位置し、プロセッサ１８０２は、メモリ１８０３における情報を読み出し、プロセッサ１８０２のハードウェアとの組み合わせにおいて以下の方法の段階を実行する：
受信機１８０１ｂを用いることによって、通信デバイスと第３の通信デバイスとの間の伝送される予定のターゲット情報の属性情報に基づき、第１の通信デバイスにより送信されたインジケーション情報を受信し、ここで、インジケーション情報は、通信デバイスおよび第３の通信デバイスが情報伝送を実行するコンカレントサブフレームを示すために用いられる。
【０１８１】
送信機１８０１ａは、コンカレントサブフレームにける第１の時間−周波数リソース上で第１の情報を第３の通信デバイスへ送信するよう構成される。
【０１８２】
受信機１８０１ｂは、第３の通信デバイスにより送信された第２の情報を、コンカレントサブフレームにおける第２の時間−周波数リソース上で受信するようさらに構成される。
【０１８３】
任意選択的に、送信機１８０１ａは、スケジューリング要求メッセージを第１の通信デバイスへ送信するようさらに構成され、ここで、スケジューリング要求メッセージは、伝送される予定のターゲット情報の属性情報を含む。
【０１８４】
前述の内容から、本発明の前述の実施形態において、第１の通信デバイスは、第１の通信デバイスと第２の通信デバイスとの間の伝送される予定のターゲット情報の属性情報に基づい、インジケーション情報を第２の通信デバイスへ送信し、ここで、インジケーション情報は、第１の通信デバイスおよび第２の通信デバイスが情報伝送を実行するコンカレントサブフレームを示すために用いられ、第１の通信デバイスは、コンカレントサブフレームにおいて第１の情報を第２の通信デバイスへ送信し、第２の通信デバイスにより送信された第２の情報を、コンカレントサブフレームにおいて受信し、ここで、伝送される予定のターゲット情報は、第１の情報または第２の情報であることが分かる。前述から、本発明の実施形態によれば、異なる通信デバイス間のアップリンクおよびダウンリンク情報伝送は、コンカレントサブフレームにおいて実行でき、これにより、レイテンシに対して比較的高い要求を有する情報は、特定のアップリンクサブフレームまたはダウンリンクサブフレームを待つ必要がなく、コンカレントサブフレームにおいてタイムリーに伝送できることが分かる。したがって、レイテンシが効果的に低減でき、スペクトルリソース利用率が向上できる。
【０１８５】
当業者であれば、本発明の実施形態が方法またはコンピュータプログラム製品として提供され得ることを理解するべきである。したがって、本発明は、ハードウェアの形態のみの実施形態、ソフトウェアのみの実施形態、または、ソフトウェアおよびハードウェアの組み合わせを有する実施形態を用いてよい。さらに、本発明は、コンピュータ使用可能プログラムコードを含む１または複数のコンピュータ使用可能記憶媒体（限定されないが、磁気ディスク記憶装置、ＣＤ−ＲＯＭ、および光メモリなどを含む）で実現されるコンピュータプログラム製品の形態を用いてもよい。
【０１８６】
本発明は、本発明の実施形態に係る方法、デバイス（システム）、およびコンピュータプログラム製品のフローチャートおよび／またはブロック図を参照して説明されている。コンピュータプログラム命令は、フローチャートおよび／またはブロック図における各プロセスおよび／またはブロック、および、フローチャートおよび／またはブロック図におけるプロセスおよび／またはブロックの組み合わせを実行するために用いられてよいことを理解されたい。これらのコンピュータプログラム命令は、マシンを生成するために、汎用コンピュータ、専用コンピュータ、組み込みプロセッサまたは別のプログラマブルデータ処理デバイスのプロセッサに提供されてよく、これにより、別のプログラマブルデータ処理デバイスのコンピュータまたはプロセッサにより実行される命令が、フローチャート内の１または複数のプロセスおよび／またはブロック図内の１または複数のブロックにおける指定された機能を実行するために、装置を生成する。
【０１８７】
これらのコンピュータプログラム命令は、あるいは、特定の方式で作動するようコンピュータまたは別のプログラマブルデータ処理デバイスに命令できるコンピュータ可読メモリに記憶されてよく、これにより、コンピュータ可読メモリに記憶されている命令は、命令装置を含むアーチファクトを生成する。命令装置は、フローチャートの１または複数のプロセスおよび／またはブロック図の１または複数のブロックにおける指定された機能を実行する。
【０１８８】
これらのコンピュータプログラム命令は、あるいは、コンピュータまたは別のプログラマブルデータ処理デバイス上にロードされてもよく、これにより、一連の動作及び段階が、コンピュータまたは別のプログラマブルデバイス上で実行され、それによって、コンピュータ実装される処理を生成する。したがって、コンピュータまたは別のプログラマブルデバイス上で実行される命令は、フローチャートにおける１または複数のプロセスおよび／またはブロック図における１または複数のブロックの指定された機能を実行するための段階を提供する。
【０１８９】
本発明の実施形態が説明されているが、当業者は、彼らが発明の基本概念を知れば、これらの実施形態に対して変更よび修正を施し得る。したがって、添付の特許請求の範囲は、実施形態および本発明の範囲内に含まれるすべての変更および修正を包含するものとして解釈されることを意図する。
【０１９０】
明らかに、当業者は、本発明の範囲から逸脱することなく、本発明に対して様々な変更および変形を施し得る。したがって、本発明のこれらの変更および変形が本発明の特許請求の範囲およびそれらの等価な技術の範囲に含まれる限り、本発明は、これらの変更および変形を包含することを意図する。
【図１】
0006904511.tif 000003
【図２】
0006904511.tif 000004
【図３】
0006904511.tif 000005
【図４】
0006904511.tif 000006
【図５ａ】
0006904511.tif 000007
【図５ｂ】
0006904511.tif 000008
【図６ａ】
0006904511.tif 000009
【図６ｂ】
0006904511.tif 000010
【図７】
0006904511.tif 000011
【図８】
0006904511.tif 000012
【図９】
0006904511.tif 000013
【図１０】
0006904511.tif 000014
【図１１】
0006904511.tif 000015
【図１２】
0006904511.tif 000016
【図１３】
0006904511.tif 000017
【図１４】
0006904511.tif 000018
【図１５】
0006904511.tif 000019
【図１６】
0006904511.tif 000020
【図１７】
0006904511.tif 000021
【図１８】
0006904511.tif 000022